(57)【要約】 【課題】  本発明は、権限時間帯を設定することにより、メールボックスアカウント或はインスタントメッセージアカウントの権限時間帯に設置する内容のみを操作し、メールボックスアカウント及びインスタントメッセージアカウントのデータ情報の安全性を向上する。【解決手段】  本発明は、システムにおいてメールボックス内容及びインスタントメッセージ内容の操作時間帯を設定する方法を公開し、その中に、システムにおいてメールボックス内容の操作時間帯を設定する方法は、一つのロール、ユーザー或は従業員を選択して一人のメールボックス使用者とすること、メールボックス使用者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、開始時点から終了時点までの時間帯という４種類のうちの一つ或は複数を含むこと、メールボックス使用者はそのメールボックス使用者の関連付けるメールボックスアカウントの権限時間帯において内容を操作することを含む。【選択図】  図１
2020530150.tif 000002
【特許請求の範囲】
【請求項１】
システムにおいてメールボックス内容の操作時間帯を設定する方法であって、
一つのロール、ユーザー或は従業員を選択して一人のメールボックス使用者とすること、
前記メールボックス使用者ごとに権限時間帯を設定し、前記権限時間帯は、
現在時点から固定時間を逆にして得られた時点から、現在時点までの時間帯、
開始時点から現在時点までの時間帯、
終了時点からシステムの初期化時点までの時間帯、及び、
開始時点から終了時点までの時間帯という４種類のうちの一つ或は複数を含むこと、
前記メールボックス使用者は、前記メールボックス使用者に関連付けられたメールボックスアカウントの権限時間帯において内容を操作すること、を含む方法。
【請求項２】
前記ロールはグループ／クラスではなく、独立した個体であり、一つのロールは同時に唯一のユーザーを関連付けることができ、一人のユーザは一つ或は複数のロールを関連付ける請求項１に記載の方法。
【請求項３】
システムにおいてメールボックス内容の操作時間帯を設定する方法であって、
一つのメールボックスアカウントのために一つの権限時間帯を設定し、前記権限時間帯は、
現在時点から固定時間を逆にして得られた時点から、現在時点までの時間帯、
開始時点から現在時点までの時間帯、
終了時点からシステムの初期化時点までの時間帯、及び、
開始時点から終了時点までの時間帯という４種類のうちの一つ或は複数を含むこと、
前記メールボックスアカウントを使用する全てのロール、ユーザー及び従業員は、前記メールボックスアカウントの前記メールボックスアカウントの権限時間帯において内容を操作すること、を含む方法。
【請求項４】
システムにおいてメールボックス内容の操作時間帯を設定する方法であって、
一つのロール、ユーザー或は従業員を選択して一人の監督者とすること、
監督者ごとに一つ或は複数の被監督者を設定し、前記被監督者がロール、ユーザー或は従業員であること、
監督者ごとに権限時間帯を設定し、前記権限時間帯は、
現在時点から固定時間を逆にして得られた時点から、現在時点までの時間帯、
開始時点から現在時点までの時間帯、
終了時点からシステムの初期化時点までの時間帯、及び、
開始時点から終了時点までの時間帯という４種類のうちの一つ或は複数を含むこと、
各監督者は、対応する被監督者の使用するメールボックスアカウントの前記監督者の権限時間帯において内容を操作すること、を含む方法。
【請求項５】
システムにおいてメールボックス内容の操作時間帯を設定する方法であって、
一つのロール、ユーザー或は従業員を選択して一人の被監督者とすること、
被監督者ごとに権限時間帯を設定し、前記権限時間帯は、
現在時点から固定時間を逆にして得られた時点から、現在時点までの時間帯、
開始時点から現在時点までの時間帯、
終了時点からシステムの初期化時点までの時間帯、及び、
開始時点から終了時点までの時間帯という４種類のうちの一つ或は複数を含むこと、
被監督者ごとに対応する全ての監督者は、前記被監督者の使用するメールボックスアカウントの前記被監督者の権限時間帯において内容を操作すること、を含む方法。
【請求項６】
システムにおいてメールボックス内容の操作時間帯を設定する方法であって、
一つのロール、ユーザー或は従業員を選択して一人のメールボックス使用者とすること、
メールボックス使用者ごとに権限時間帯を設定し、前記権限時間帯は、
前記メールボックス使用者及び現在関連付けるメールボックスアカウントの関連時点から固定時間を順にして得られた時点から、現在時点までの時間帯、
前記メールボックス使用者及び現在関連付けるメールボックスアカウントの関連時点から固定時間を逆にして得られた時点から、システムの初期化時点までの時間帯、
前記メールボックス使用者及び現在関連付けるメールボックスアカウントの関連時点から、システムの初期化時点までの時間帯、及び、
前記メールボックス使用者及び現在関連付けるメールボックスアカウントの関連時点から現在時点までの時間帯という４種類のうちの一つ或は複数を含むこと、
前記メールボックス使用者は、前記メールボックス使用者の使用するメールボックスアカウントの前記メールボックス使用者の権限時間帯において内容を操作すること、を含む方法。
【請求項７】
システムにおいてメールボックス内容の操作時間帯を設定する方法であって、
一つのメールボックスアカウントのために一つの権限時間帯を設定し、前記権限時間帯は、
前記メールボックスアカウント及び現在関連付けるメールボックス使用者の関連時点から固定時間を順にして得られた時点から、現在時点までの時間帯、
前記メールボックスアカウント及び現在関連付けるメールボックス使用者の関連時点から固定時間を逆にして得られた時点から、システムの初期化時点までの時間帯、
前記メールボックスアカウント及び現在関連付けるメールボックス使用者の関連時点から、システムの初期化時点までの時間帯、及び、
前記メールボックスアカウント及び現在関連付けるメールボックス使用者の関連時点から、現在時点までの時間帯という４種類のうちの一つ或は複数を含むこと、
前記メールボックスアカウントを使用する全てのロール、ユーザー及び従業員は、前記メールボックスアカウントの前記メールボックスアカウントの権限時間帯において内容を操作すること、を含む方法。
【請求項８】
システムにおいてメールボックス内容の操作時間帯を設定する方法であって、
一つのロール、ユーザー或は従業員を選択して一人の監督者とすること、監督者ごとに一つ或は複数の被監督者を設定し、前記被監督者がロール、ユーザー或は従業員であること、
監督者ごとに権限時間帯を設定し、前記権限時間帯は、
前記メールボックス使用者及び現在関連付けるメールボックスアカウントの関連時点から固定時間を順にして得られた時点から、現在時点までの時間帯、
前記メールボックス使用者及び現在関連付けるメールボックスアカウントの関連時点から固定時間を逆にして得られた時点から、システムの初期化時点までの時間帯、
前記メールボックス使用者及び現在関連付けるメールボックスアカウントの関連時点から、システムの初期化時点までの時間帯、及び、
前記メールボックス使用者及び現在関連付けるメールボックスアカウントの関連時点から現在時点までの時間帯、という４種類のうちの一つ或は複数を含むこと、
各監督者は、対応する被監督者の使用するメールボックスアカウントの前記監督者の権限時間帯において内容を操作すること、を含む方法。
【請求項９】
システムにおいてメールボックス内容の操作時間帯を設定する方法であって、
一つのロール、ユーザー或は従業員を選択して一人の被監督者とすること、
被監督者ごとに権限時間帯を設定し、前記権限時間帯は、
前記メールボックス使用者及び現在関連付けるメールボックスアカウントの関連時点から固定時間を順にして得られた時点から、現在時点までの時間帯、
前記メールボックス使用者及び現在関連付けるメールボックスアカウントの関連時点から固定時間を逆にして得られた時点から、システムの初期化時点までの時間帯、
前記メールボックス使用者及び現在関連付けるメールボックスアカウントの関連時点から、システムの初期化時点までの時間帯、及び、
前記メールボックス使用者及び現在関連付けるメールボックスアカウントの関連時点から現在時点までの時間帯、という４種類のうちの一つ或は複数を含むこと、
被監督者ごとに対応する全ての監督者は、前記被監督者の使用するメールボックスアカウントの前記被監督者の権限時間帯において内容を操作すること、を含む方法。
【請求項１０】
システムにおいてインスタントメッセージ内容の操作時間帯を設定する方法であって、
一つのロール、ユーザー或は従業員を選択して一つのインスタントメッセージ使用者とすること、
前記インスタントメッセージ使用者ごとに権限時間帯を設定し、前記権限時間帯は、
現在時点から固定時間を逆にして得られた時点から、現在時点までの時間帯、
開始時点から、現在時点までの時間帯、
終了時点からシステムの初期化時点までの時間帯、及び、
開始時点から終了時点までの時間帯、という４種類のうちの一つ或は複数を含むこと、
前記インスタントメッセージ使用者は前記インスタントメッセージ使用者の使用するインスタントメッセージアカウントの前記インスタントメッセージ使用者の権限時間帯において内容を操作することを含む方法。
【請求項１１】
前記ロールはグループ／クラスではなく、独立した個体であり、一つのロールは同時に唯一のユーザーを関連付けることができ、一人のユーザは一つ或は複数のロールを関連付ける請求項１０に記載の方法。
【請求項１２】
システムにおいてインスタントメッセージ内容の操作時間帯を設定する方法であって、
一つのインスタントメッセージアカウントのために一つの権限時間帯を設定し、前記権限時間帯は、
現在時点から固定時間を逆にして得られた時点から、現在時点までの時間帯、
開始時点から現在時点までの時間帯、
終了時点からシステムの初期化時点までの時間帯、及び、
開始時点から終了時点までの時間帯、という４種類のうちの一つ或は複数を含むこと、
前記インスタントメッセージアカウントを使用する全てのロール、ユーザー及び従業員は、前記インスタントメッセージアカウントの前記インスタントメッセージアカウントの権限時間帯において内容を操作することを含む方法。
【請求項１３】
システムにおいてインスタントメッセージ内容の操作時間帯を設定する方法であって、
一つのロール、ユーザー或は従業員を選択して一人の監督者とすること、
監督者ごとに一つ或は複数の被監督者を設定し、前記被監督者がロール、ユーザー或は従業員であること、
監督者ごとに権限時間帯を設定し、前記権限時間帯は、
現在時点から固定時間を逆にして得られた時点から、現在時点までの時間帯、
開始時点から現在時点までの時間帯、
終了時点からシステムの初期化時点までの時間帯、及び、
開始時点から終了時点までの時間帯、という４種類のうちの一つ或は複数を含むこと、
監督者ごとは、相応の被監督者の使用するインスタントメッセージアカウントの前記監督者の権限時間帯において内容を操作することを含む方法。
【請求項１４】
システムにおいてインスタントメッセージ内容の操作時間帯を設定する方法であって、
一つのロール、ユーザー或は従業員を選択して一人の被監督者とすること、
被監督者ごとに権限時間帯を設定し、前記権限時間帯は、
現在時点から固定時間を逆にして得られた時点から、現在時点までの時間帯、
開始時点から現在時点までの時間帯、
終了時点からシステムの初期化時点までの時間帯、及び、
開始時点から終了時点までの時間帯、という４種類のうちの一つ或は複数を含むこと、
被監督者ごとに対応する全ての監督者は、前記被監督者の使用するインスタントメッセージアカウントの前記被監督者の権限時間帯において内容を操作することを含む方法。
【請求項１５】
システムにおいてインスタントメッセージ内容の操作時間帯を設定する方法であって、
一つのロール、ユーザー或は従業員を選択して一つのインスタントメッセージ使用者とすること、
インスタントメッセージ使用者ごとに権限時間帯を設定し、前記権限時間帯は、
前記インスタントメッセージ使用者及び現在関連付けるインスタントメッセージアカウントの関連時点から固定時間を順にして得られた時点から、現在時点までの時間帯、
前記インスタントメッセージ使用者及び現在関連付けるインスタントメッセージアカウントの関連時点から固定時間を逆にして得られた時点から、システムの初期化時点までの時間帯、
前記インスタントメッセージ使用者及び現在関連付けるインスタントメッセージアカウントの関連時点から、システムの初期化時点までの時間帯、及び、
前記インスタントメッセージ使用者及び現在関連付けるインスタントメッセージアカウントの関連時点から現在時点までの時間帯、という４種類のうちの一つ或は複数を含むこと、
前記インスタントメッセージ使用者は、前記インスタントメッセージ使用者の使用するインスタントメッセージアカウントの前記インスタントメッセージ使用者の権限時間帯において内容を操作すること、を含む方法。
【請求項１６】
システムにおいてインスタントメッセージ内容の操作時間帯を設定する方法であって、
一つのインスタントメッセージアカウントのために一つの権限時間帯を設定し、前記権限時間帯は、
前記インスタントメッセージアカウント及び現在関連付けるインスタントメッセージ使用者の関連時点から固定時間を順にして得られた時点から、現在時点までの時間帯、
前記インスタントメッセージアカウント及び現在関連付けるインスタントメッセージ使用者の関連時点から固定時間を逆にして得られた時点から、システムの初期化時点までの時間帯、
前記インスタントメッセージアカウント及び現在関連付けるインスタントメッセージ使用者の関連時点から、システムの初期化時点までの時間帯、及び、
前記インスタントメッセージアカウント及び現在関連付けるインスタントメッセージ使用者の関連時点から現在時点までの時間帯、という４種類のうちの一つ或は複数を含むこと、
前記インスタントメッセージアカウントを使用する全てのロール、ユーザー及び従業員は、前記インスタントメッセージアカウントの前記インスタントメッセージアカウントの権限時間帯において内容を操作することを含む方法。
【請求項１７】
システムにおいてインスタントメッセージ内容の操作時間帯を設定する方法であって、
一つのロール、ユーザー或は従業員を選択して一人の監督者とすること、
監督者ごとに一つ或は複数の被監督者を設定し、前記被監督者がロール、ユーザー或は従業員であること、
監督者ごとに権限時間帯を設定し、前記権限時間帯は、
前記インスタントメッセージ使用者及び現在関連付けるインスタントメッセージアカウントの関連時点から固定時間を順にして得られた時点から、現在時点までの時間帯、
前記インスタントメッセージ使用者及び現在関連付けるインスタントメッセージアカウントの関連時点から固定時間を逆にして得られた時点から、システムの初期化時点までの時間帯、
前記インスタントメッセージ使用者及び現在関連付けるインスタントメッセージアカウントの関連時点から、システムの初期化時点までの時間帯、及び、
前記インスタントメッセージ使用者及び現在関連付けるインスタントメッセージアカウントの関連時点から現在時点までの時間帯、という４種類のうちの一つ或は複数を含むこと、
監督者ごとは、相応の被監督者の使用するインスタントメッセージアカウントの前記監督者の権限時間帯において内容を操作することを含む方法。
【請求項１８】
システムにおいてインスタントメッセージ内容の操作時間帯を設定する方法であって、
一つのロール、ユーザー或は従業員を選択して一人の被監督者とすること、
被監督者ごとに権限時間帯を設定し、前記権限時間帯は、
前記インスタントメッセージ使用者及び現在関連付けるインスタントメッセージの関連時点から固定時間を順にして得られた時点から、現在時点までの時間帯、
前記インスタントメッセージ使用者及び現在関連付けるインスタントメッセージの関連時点から固定時間を逆にして得られた時点から、システムの初期化時点までの時間帯、
前記インスタントメッセージ使用者及び現在関連付けるインスタントメッセージアカウントの関連時点から、システムの初期化時点までの時間帯、及び、
前記インスタントメッセージ使用者及び現在関連付けるインスタントメッセージアカウントの関連時点から、現在時点までの時間帯、という４種類のうちの一つ或は複数を含むこと、
被監督者ごとに対応する全ての監督者は、前記被監督者の使用するインスタントメッセージアカウントの前記被監督者の権限時間帯において内容を操作することを含む方法。
【発明の詳細な説明】
【技術分野】
【０００１】
本発明は、ＥＲＰ等の管理ソフトウェアシステムにおける操作権限の時間を設定する方法に関し、特にシステムにおいてメールボックス内容及びインスタントメッセージ内容の操作時間帯を設定する方法に関する。
【背景技術】
【０００２】
従来のＥＲＰ等の管理ソフトウェアシステムにおいて、従業員を承認する時に、通常は従業員の職位の権限によりその従業員を承認する。某メールボックスアカウント或はインスタントメッセージアカウントの権限を取得した後、その従業員は、前記メールボックスアカウント或はインスタントメッセージアカウントの全ての過去データ／情報及び現在のデータ／情報を検分することができるが、幾つかの場合に会社情報の漏洩をもたらし易い。例えば、会社の某職位にある新入社員が入職するが、その従業員に彼の引き継いだメールボックアカウント或はインスタントメッセージアカウントの過去データ／情報を検分させない時（又は、会社は、その従業員にメールボックスアカウント或はインスタントメッセージアカウントの某特定時間帯にあるデータ／情報のみを検分させようとする時に、従来の承認方法ができない）、その従業員はそのメールボックアカウント或はインスタントメッセージアカウントの承認を取得した後、そのメールボックアカウント或はインスタントメッセージアカウントの過去データ／情報を検分するが、この時に、会社は有効的な制限措置を採ることができなく、そうすると会社のデータの漏洩をもたらす。別の例として、某従業員が一時転勤して別の役職の某メールボックアカウント或はインスタントメッセージアカウントの特定の時間帯のデータを審査する時、その従業員のそのメールボックアカウント或はインスタントメッセージアカウントを検分する権限を与えるのを必要とし、承認を取得した後、その従業員がそのメールボックアカウント或はインスタントメッセージアカウントの全てのデータ／情報を検分することができる。従って、メールボックアカウント或はインスタントメッセージアカウントに審査を必要とするデータの以外のデータを漏らすのにつながる。既有のメールボックアカウント或はインスタントメッセージアカウントを検分する権限を与える方法は、権限を有効的に制御することができなく、会社の情報を保護するのに不利であり、会社に損失をもたらしやすい。
【０００３】
従業員／ユーザーが入職し異動する時、毎回、従業員／ユーザーにメールボックアカウント或はインスタントメッセージアカウントを関連付けるのを必要とし（従業員／ユーザーにメールボックスアカウントを人為的に関連付けるのは、明かな欠点がある。長く関連付けて繰り返すプロセスでは、従業員／ユーザーにメールボックスアカウントを関連付けた後、従業員／ユーザーとメールボックスの両者にそれぞれ対応する作業範囲には大きな偏差があり、エラーが現れ易いが、再度使用され、ひいてはより長い或は非常に長い間使用されると、後続の作業に大きな面倒とトラブルを引き起こし、計り知れない損失をもたらす。同じ理由から、従業員／ユーザーにインスタントメッセージアカウントを人為的に関連付けるのは、これ等の欠点もある）、作業量が大きくなり（間違って関連付けた可能性がある）、しかも、従業員にメールボックアカウント或はインスタントメッセージアカウントを再度関連付けると一定の間、延期となり、関連の作業の正常な展開に影響することがある。例えば、従業員Ａは生産主管から販売主管に異動する時、従業員Ａの現有のメールボックを後継者に引き継いだ後、従業員Ａに新しいメールボックを関連付けないと、この時に従業員Ａはメールボックを持たないので相応の作業を展開することができない。従業員Ａの現有のメールボックを後継者に引き継がないと、その後継者は以前の関連のメール情報を知ることができなく、作業の展開に不利である。例えば、従業員Ａは生産主管と販売後主管を務めたが、現在、生産主管を務めない（従業員Ａのメールボックを後継者に与えなく、その原因は、その中に販売後主管の作業メールも含む）。生産主管の後継者に新しいメールボックを再度割り当てる場合、関連人員を通知するのを必要とし（例えば、設備保全要員、外注メーカーなど）、作業量が多くなって相手に余分な仕事を引き起こすだけでなく、従業員Ａは生産に属する後続の電子メールを見る可能性がある（例えば、送信者は従業員Ａが生産主管を務めないことを知らない）。もう例えば、従業員Ａが生産主管から販売主管に異動する時、従業員Ａの現有のメールボックをその後継者に引き継いだ後直ぐに従業員Ａに新しいメールボックを割り当てないと、この期間に従業員Ａは元の販売作業に関連するメールを検分することができなく、作業の正常な展開に不利である（従来のイインスタントメッセージアカウントの承認管理にも以上の問題がある）。
【０００４】
「メールボックスアカウント及び現在関連付けるメール使用者の関連時点」の応用に利点がある。企業がその関連時点を参照時点として操作者の操作権限を設定しようとする場合、例えば、管理要求により、会社は、被操作メールボックスアカウントの現在関連者がそのメールボックスを関連付けた後、現在関連者がそのメールボックスの関連時点以前或は以降に亘る特定時間帯或は関連時点から指定時間までの特定時間帯等の内容しか操作できなく、又は、幾つかの監督者にこの方式で被監督者の関連付けた被操作メールボックスアカウントの内容を操作する権限も与えることを規定するが、その関連時点が動的であるので（従業員の入職や異動や離職等の多くの要因がその関連時点を不確定にさせると、被操作メールボックスアカウント及びその現在関連者の「関連時点」が不確定となる）、従来の方法で設置できない。ただし、本発明は、解決できる。「メールボックスの使用者及び現在関連付けるメールボックスアカウントの関連時点」の応用は上記の類似の利点も備える。
【０００５】
「インスタントメッセージアカウント及び現在関連付けるインスタントメッセージ使用者の関連時点」の応用に利点がある。企業がその関連時点を参照時点として現在関連者の操作権限を設定しようとする場合、例えば、管理要求により、会社は、被操作インスタントメッセージアカウントの現在関連者がそのインスタントメッセージアカウントを関連付けた後、現在関連者がそのインスタントメッセージアカウントの関連時点以前或は以降に亘る特定時間帯或は関連時点から指定時間までの特定時間帯等の内容しか操作できなく、又は、幾つかの監督者にこの方式で被監督者の関連付けた被操作インスタントメッセージアカウントの内容を操作する権限を与えると規定するが、その関連時点が動的であるので（従業員の入職や異動や離職等の多くの要因がその関連時点を不確定にさせると、被操作インスタントメッセージアカウント及びその現在関連者の「関連時点」が不確定となる）、従来の方法が設置できない。ただし、本発明は、よく解決できる。「インスタントメッセージ使用者及び現在関連付けるインスタントメッセージアカウントの関連時点」の応用は上記の類似の利点も備える。
【０００６】
又は、メールボックスアカウント或はインスタントメッセージアカウントが相次いで異なる人員に使用されると情報の漏洩をもたらす。例えば、最初に開発部の従業員ＡにメールボックスＡを割り当て、メールボックスＡには多くの開発機密情報があり、従業員Ａが離職した後、メールボックスＡを販売部門の従業員Ｂに割り当てると、従業員ＢがメールボックスＡ中の元の開発機密情報を見ることができる。しかも、送信者（メールの送信者とインスタントメッセージの送信者）は使用者の絶えず変化するメールボックスアカウントとインスタントメッセージアカウントに送信しようとしない。その原因は、情報の漏洩をもたらし易い。例えば、某従業員が遅刻し、その主管は、その従業員の優れた業績のために給料を割り引かず、且つその従業員にメールを送信して説明する。その従業員のこのメールボックスはその後他人に使用されると、このメールが他人に知られることにつながり、会社の管理に不利である。
【発明の概要】
【発明が解決しようとする課題】
【０００７】
本発明の目的は、現行技術の欠陥を克服し、システムにおいてメールボックス内容及びインスタントメッセージ内容の操作時間帯を設定する方法を提供し、権限時間帯を設定することにより、メールボックスアカウント或はインスタントメッセージアカウントの権限時間帯に設置する内容のみを操作し、メールボックスアカウント及びインスタントメッセージアカウントのデータ情報を漏らす可能性を低減し、メールボックスアカウント及びインスタントメッセージアカウントのデータ情報の安全性を向上する。
【課題を解決するための手段】
【０００８】
本発明の目的は、以下の技術的手段により達成される。システムにおいてメールボックス内容の操作時間帯を設定する方法は、一つのロール、ユーザー或は従業員を選択して一人のメールボックス使用者とすること、メールボックス使用者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、及び、開始時点から終了時点までの時間帯という４種類のうちの一つ或は複数を含むこと、前記メールボックス使用者はそのメールボックス使用者の関連付けるメールボックスアカウントの権限時間帯において内容を操作することを含む。
【０００９】
優先的に、前記ロールはグループ／クラスではなく、独立した個体であり、一つのロールは同時に唯一のユーザーを関連付けることができ、一人のユーザは一つ或は複数のロールを関連付ける。
【００１０】
システムにおいてメールボックス内容の操作時間帯を設定する方法は、一つのメールボックスアカウントのために一つの権限時間帯を設定し、前記権限時間帯は、現在時点から固定時間を逆にして得られた時点から現在時点までの時間帯、開始時点から現在時点までの時間帯、終了時点からシステムの初期化時点までの時間帯、及び、開始時点から終了時点までの時間帯という４種類のうちの一つ或は複数を含むこと、そのメールボックスアカウントを使用する全てのロール、ユーザー及び従業員は、そのメールボックスアカウントのそのメールボックスアカウントの権限時間帯において内容を操作することを含む。
【００１１】
システムにおいてメールボックス内容の操作時間帯を設定する方法は、
(１)一つのロール、ユーザー或は従業員を選択して一人の監督者とすること、
(２)監督者ごとに一つ或は複数の被監督者を設定し、前記被監督者がロール、ユーザー或は従業員であること、
(３)監督者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、及び、開始時点から終了時点までの時間帯という４種類のうちの一つ或は複数を含むこと、
(４)監督者ごとは、相応の被監督者の使用するメールボックスアカウントのその監督者の権限時間帯において内容を操作することを含む。
【００１２】
ステップ(１)〜ステップ(４)は、順次に実行する、又は、ステップ(１)、ステップ(３)、ステップ(２)、ステップ(４)は、順次に実行する。
【００１３】
システムにおいてメールボックス内容の操作時間帯を設定する方法は、一つのロール、ユーザー或は従業員を選択して一人の被監督者とすること、被監督者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、開始時点から終了時点までの時間帯という４種類のうちの一つ或は複数を含むこと、被監督者ごとに対応する全ての監督者は、その被監督者の使用するメールボックスアカウントのその被監督者の権限時間帯において内容を操作することを含む。
【００１４】
システムにおいてメールボックス内容の操作時間帯を設定する方法は、一つのロール、ユーザー或は従業員を選択して一人のメールボックス使用者とすること、メールボックス使用者ごとに権限時間帯を設定し、前記権限時間帯は、そのメールボックス使用者及び現在関連付けるメールボックスアカウントの関連時点から固定時間を順にして得られた時点から現在時点までの時間帯、そのメールボックス使用者及び現在関連付けるメールボックスアカウントの関連時点から固定時間を逆にして得られた時点からシステムの初期化時点までの時間帯、そのメールボックス使用者及び現在関連付けるメールボックスアカウントの関連時点からシステムの初期化時点までの時間帯、そのメールボックス使用者及び現在関連付けるメールボックスアカウントの関連時点から現在時点までの時間帯という４種類のうちの一つ或は複数を含むこと、前記メールボックス使用者は、そのメールボックス使用者の使用するメールボックスアカウントのそのメールボックス使用者の権限時間帯において内容を操作することを含む。
【００１５】
システムにおいてメールボックス内容の操作時間帯を設定する方法は、一つのメールボックスアカウントのために一つの権限時間帯を設定し、前記権限時間帯は、そのメールボックスアカウント及び現在関連付けるメールボックス使用者の関連時点から固定時間を順にして得られた時点から現在時点までの時間帯、そのメールボックスアカウント及び現在関連付けるメールボックス使用者の関連時点から固定時間を逆にして得られた時点からシステムの初期化時点までの時間帯、そのメールボックスアカウント及び現在関連付けるメールボックス使用者の関連時点からシステムの初期化時点までの時間帯、そのメールボックスアカウント及び現在関連付けるメールボックス使用者の関連時点から現在時点までの時間帯という４種類のうちの一つ或は複数を含むこと、そのメールボックスアカウントを使用する全てのロール、ユーザー及び従業員は、そのメールボックスアカウントのそのメールボックスアカウントの権限時間帯において内容を操作することを含む。
【００１６】
システムにおいてメールボックス内容の操作時間帯を設定する方法は、
(１)一つのロール、ユーザー或は従業員を選択して一人の監督者とすること、
(２)監督者ごとに一つ或は複数の被監督者を設定し、前記被監督者がロール、ユーザー或は従業員であること、
(３)監督者ごとに権限時間帯を設定し、前記権限時間帯は、そのメールボックス使用者及び現在関連付けるメールボックスアカウントの関連時点から固定時間を順にして得られた時点から現在時点までの時間帯、そのメールボックス使用者及び現在関連付けるメールボックスアカウントの関連時点から固定時間を逆にして得られた時点からシステムの初期化時点までの時間帯、そのメールボックス使用者及び現在関連付けるメールボックスアカウントの関連時点からシステムの初期化時点までの時間帯、及び、そのメールボックス使用者及び現在関連付けるメールボックスアカウントの関連時点から現在時点までの時間帯という４種類のうちの一つ或は複数を含むこと、
(４)監督者ごとは、相応の被監督者の使用するメールボックスアカウントのその監督者の権限時間帯において内容を操作することを含む。
【００１７】
ステップ(１)〜ステップ(４)は、順次に実行する、又は、ステップ(１)、ステップ(３)、ステップ(２)、ステップ(４)は、順次、実行する。
【００１８】
システムにおいてメールボックス内容の操作時間帯を設定する方法は、一つのロール、ユーザー或は従業員を選択して一人の被監督者とすること、被監督者ごとに権限時間帯を設定し、前記権限時間帯は、そのメールボックス使用者及び現在関連付けるメールボックスアカウントの関連時点から固定時間を順にして得られた時点から現在時点までの時間帯、そのメールボックス使用者及び現在関連付けるメールボックスアカウントの関連時点から固定時間を逆にして得られた時点からシステムの初期化時点までの時間帯、そのメールボックス使用者及び現在関連付けるメールボックスアカウントの関連時点からシステムの初期化時点までの時間帯、及び、そのメールボックス使用者及び現在関連付けるメールボックスアカウントの関連時点から現在時点までの時間帯という４種類のうちの一つ或は複数を含むこと、被監督者ごとに対応する全ての監督者は、その被監督者の使用するメールボックスアカウントのその被監督者の権限時間帯において内容を操作することを含む。
【００１９】
システムにおいてインスタントメッセージ内容の操作時間帯を設定する方法は、一つのロール、ユーザー或は従業員を選択して一つのインスタントメッセージ使用者とすること、インスタントメッセージ使用者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、及び、開始時点から終了時点までの時間帯という４種類のうちの一つ或は複数を含むこと、前記インスタントメッセージ使用者はそのインスタントメッセージ使用者の使用するインスタントメッセージアカウントのそのインスタントメッセージ使用者の権限時間帯において内容を操作することを含む。
【００２０】
優先的に、前記ロールはグループ／クラスではなく、独立した個体であり、一つのロールは同時に唯一のユーザーを関連付けることができ、一人のユーザは一つ或は複数のロールを関連付ける。
【００２１】
システムにおいてインスタントメッセージ内容の操作時間帯を設定する方法は、一つのインスタントメッセージアカウントのために一つの権限時間帯を設定し、前記権限時間帯は、現在時点から固定時間を逆にして得られた時点から現在時点までの時間帯、開始時点から現在時点までの時間帯、終了時点からシステムの初期化時点までの時間帯、及び、開始時点から終了時点までの時間帯という４種類のうちの一つ或は複数を含むこと、そのインスタントメッセージアカウントを使用する全てのロール、ユーザー及び従業員は、そのインスタントメッセージアカウントのそのインスタントメッセージアカウントの権限時間帯において内容を操作することを含む。
【００２２】
システムにおいてインスタントメッセージ内容の操作時間帯を設定する方法は、
(１)一つのロール、ユーザー或は従業員を選択して一人の監督者とすること、
(２)監督者ごとに一つ或は複数の被監督者を設定し、前記被監督者がロール、ユーザー或は従業員であること、
(３)監督者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、開始時点から終了時点までの時間帯という４種類のうちの一つ或は複数を含むこと、
(４)監督者ごとは、相応の被監督者の使用するインスタントメッセージアカウントのその監督者の権限時間帯において内容を操作することを含む。
【００２３】
ステップ(１)〜ステップ(４)は、順次に実行する、又は、ステップ(１)、ステップ(３)、ステップ(２)、ステップ(４)は、順次に実行する。
【００２４】
システムにおいてインスタントメッセージ内容の操作時間帯を設定する方法は、一つのロール、ユーザー或は従業員を選択して一人の被監督者とすること、被監督者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、及び、開始時点から終了時点までの時間帯という４種類のうちの一つ或は複数を含むこと、被監督者ごとに対応する全ての監督者は、その被監督者の使用するインスタントメッセージアカウントのその被監督者の権限時間帯において内容を操作することを含む。
【００２５】
システムにおいてインスタントメッセージ内容の操作時間帯を設定する方法は、一つのロール、ユーザー或は従業員を選択して一つのインスタントメッセージ使用者とすること、インスタントメッセージ使用者ごとに権限時間帯を設定し、前記権限時間帯は、そのインスタントメッセージ使用者及び現在関連付けるインスタントメッセージアカウントの関連時点から固定時間を順にして得られた時点から現在時点までの時間帯、そのインスタントメッセージ使用者及び現在関連付けるインスタントメッセージアカウントの関連時点から固定時間を逆にして得られた時点からシステムの初期化時点までの時間帯、そのインスタントメッセージ使用者及び現在関連付けるインスタントメッセージアカウントの関連時点からシステムの初期化時点までの時間帯、及び、そのインスタントメッセージ使用者及び現在関連付けるインスタントメッセージアカウントの関連時点から現在時点までの時間帯という４種類のうちの一つ或は複数を含むこと、前記インスタントメッセージ使用者は、そのインスタントメッセージ使用者の使用するインスタントメッセージアカウントのそのインスタントメッセージ使用者の権限時間帯において内容を操作することを含む。
【００２６】
システムにおいてインスタントメッセージ内容の操作時間帯を設定する方法は、一つのインスタントメッセージアカウントのために一つの権限時間帯を設定し、前記権限時間帯は、そのインスタントメッセージアカウント及び現在関連付けるインスタントメッセージ使用者の関連時点から固定時間を順にして得られた時点から現在時点までの時間帯、そのインスタントメッセージアカウント及び現在関連付けるインスタントメッセージ使用者の関連時点から固定時間を逆にして得られた時点からシステムの初期化時点までの時間帯、そのインスタントメッセージアカウント及び現在関連付けるインスタントメッセージ使用者の関連時点からシステムの初期化時点までの時間帯、及び、そのインスタントメッセージアカウント及び現在関連付けるインスタントメッセージ使用者の関連時点から現在時点までの時間帯という４種類のうちの一つ或は複数を含むこと、そのインスタントメッセージアカウントを使用する全てのロール、ユーザー及び従業員は、そのインスタントメッセージアカウントのそのインスタントメッセージアカウントの権限時間帯において内容を操作することを含む。
【００２７】
システムにおいてインスタントメッセージ内容の操作時間帯を設定する方法は、
【００２８】
(１)一つのロール、ユーザー或は従業員を選択して一人の監督者とすること、
(２)監督者ごとに一つ或は複数の被監督者を設定し、前記被監督者がロール、ユーザー或は従業員であること、
(３)監督者ごとに権限時間帯を設定し、前記権限時間帯は、そのインスタントメッセージ使用者及び現在関連付けるインスタントメッセージアカウントの関連時点から固定時間を順にして得られた時点から現在時点までの時間帯、そのインスタントメッセージ使用者及び現在関連付けるインスタントメッセージアカウントの関連時点から固定時間を逆にして得られた時点からシステムの初期化時点までの時間帯、そのインスタントメッセージ使用者及び現在関連付けるインスタントメッセージアカウントの関連時点からシステムの初期化時点までの時間帯、及び、そのインスタントメッセージ使用者及び現在関連付けるインスタントメッセージアカウントの関連時点から現在時点までの時間帯という４種類のうちの一つ或は複数を含むこと、
(４)監督者ごとは、相応の被監督者の使用するインスタントメッセージアカウントのその監督者の権限時間帯において内容を操作することを含む。
【００２９】
ステップ(１)〜ステップ(４)は、順次に実行する、又は、ステップ(１)、ステップ(３)、ステップ(２)、ステップ(４)は、順次に実行する。
【００３０】
システムにおいてインスタントメッセージ内容の操作時間帯を設定する方法は、一つのロール、ユーザー或は従業員を選択して一人の被監督者とすること、被監督者ごとに権限時間帯を設定し、前記権限時間帯は、そのインスタントメッセージ使用者及び現在関連付けるインスタントメッセージの関連時点から固定時間を順にして得られた時点から現在時点までの時間帯、そのインスタントメッセージ使用者及び現在関連付けるインスタントメッセージの関連時点から固定時間を逆にして得られた時点からシステムの初期化時点までの時間帯、そのインスタントメッセージ使用者及び現在関連付けるインスタントメッセージアカウントの関連時点からシステムの初期化時点までの時間帯、及び、そのインスタントメッセージ使用者及び現在関連付けるインスタントメッセージアカウントの関連時点から現在時点までの時間帯という４種類のうちの一つ或は複数を含むこと、被監督者ごとに対応する全ての監督者は、その被監督者の使用するインスタントメッセージアカウントのその被監督者の権限時間帯において内容を操作することを含む。
【００３１】
「メールボックスアカウント及び現在関連付けたメールボックス使用者の関連時点」、「メールボックス使用者及び現在関連付けるメールボックスアカウントの関連時点」、「インスタントメッセージアカウント及び現在関連付けるインスタントメッセージ使用者の関連時点」、「インスタントメッセージ使用者及び現在関連付けるインスタントメッセージアカウントの関連時点」のうちに「関連時点」は「前回の関連時点」を特に指し、例えば、「メールボックス使用者及び現在関連付けるメールボックスアカウントの関連時点」に、「関連時点」が多くなると（そのインスタントメッセージアカウントはそのインスタントメッセージ使用者を曾て関連付けた可能性がある）、前回の関連時点しか自動的に採用しない。
【発明の効果】
【００３２】
本発明の有益な効果は次のとおりである。（１）本発明は、従業員／ユーザーは、インスタントメッセージアカウント／メールボックスアカウント（その従業員の関連付けたインスタントメッセージアカウント／メールボックスアカウント、又はその従業員に対応するユーザーの関連付けたインスタントメッセージアカウント／メールボックスアカウント、又はそのユーザーの関連付けたインスタントメッセージアカウント／メールボックスアカウント、又はその従業員に対応するユーザーの関連付けたロールの関連付けたインスタントメッセージアカウント／メールボックスアカウント、又はそのユーザーの関連付けたロールの関連付けたインスタントメッセージアカウント／メールボックスアカウント）を使用する時に、其の使用するインスタントメッセージアカウント／メールボックスアカウントの内容を「その従業員／ユーザーに対して設定する権限時間帯」で操作する。従業員／ユーザーの使用したメールボックスアカウント／インスタントメッセージアカウントに操作権限時間帯を設定する必要がない。従業員／ユーザーが異動する時に新しいインスタントメッセージアカウント／メールボックスアカウントを使用しようとすれば、そのインスタントメッセージアカウント／メールボックスアカウントの内容の操作権限時間帯も設定する必要がない（並びに、異動しない時に、しかも新しいインスタントメッセージアカウント／メールボックスアカウントを置き換え、又は新しいインスタントメッセージアカウント／メールボックスアカウントを増加する場合に、インスタントメッセージアカウント／メールボックスアカウントの操作権限時間帯を再度設定する必要がない）。
【００３３】
(２)本発明に、従業員／ユーザーは、インスタントメッセージアカウント／メールボックスアカウント（その従業員の関連付けたインスタントメッセージアカウント／メールボックスアカウント、又はその従業員に対応するユーザーの関連付けたインスタントメッセージアカウント／メールボックスアカウント、又はそのユーザーの関連付けたインスタントメッセージアカウント／メールボックスアカウント、又はその従業員に対応するユーザーの関連付けたロールの関連付けたインスタントメッセージアカウント／メールボックスアカウント、又はそのユーザーの関連付けたロールの関連付けたインスタントメッセージアカウント／メールボックスアカウント）を使用する時に、従業員は、その従業員の使用するインスタントメッセージアカウント／メールボックスアカウントの内容を「その従業員に対応するユーザーに対して設定する権限時間帯」で操作し、又は、従業員は、その従業員の使用するインスタントメッセージアカウント／メールボックスアカウントの内容を「その従業員に対応するユーザーの関連付けたロールに対して設定する権限時間帯」で操作し、又は、ユーザーは、そのユーザーの使用するインスタントメッセージアカウント／メールボックスアカウントの内容を「そのユーザーに対応する従業員に対して設定する権限時間帯」で操作し、又は、ユーザーは、そのユーザーの使用するインスタントメッセージアカウント／メールボックスアカウントの内容を「そのユーザーの関連付けたロールに対して設定する権限時間帯」で操作する。従業員／ユーザーの使用したメールボックスアカウント／インスタントメッセージアカウントに操作権限時間帯を設定する必要がない。従業員／ユーザーが異動する時に新しいインスタントメッセージアカウント／メールボックスアカウントを使用しようとすれば、そのインスタントメッセージアカウント／メールボックスアカウントの内容の操作権限時間帯も設定する必要がない（並びに、異動しない時に、しかも新しいインスタントメッセージアカウント／メールボックスアカウントを置き換え、又は新しいインスタントメッセージアカウント／メールボックスアカウントを増加する場合に、インスタントメッセージアカウント／メールボックスアカウントの操作権限時間帯を再度設定する必要がない）、従業員に対応するユーザーの関連付けたロール或はユーザーの関連付けたロールの権限時間帯では、従業員或はユーザーのインスタントメッセージアカウント／メールボックスアカウントの内容に対する操作を制御することができる。
【００３４】
(３)本発明に、従業員／ユーザー／ロールを監督者として被監督者のインスタントメッセージアカウント／メールボックスアカウントを使用する時（その従業員の関連付けたインスタントメッセージアカウント／メールボックスアカウントではない、その従業員に対応するユーザーの関連付けたインスタントメッセージアカウント／メールボックスアカウントではない、そのユーザーの関連付けたインスタントメッセージアカウント／メールボックスアカウントではない、その従業員に対応するユーザーの関連付けたロールの関連付けたインスタントメッセージアカウント／メールボックスアカウントではない、そのユーザーの関連付けたロールの関連付けたインスタントメッセージアカウント／メールボックスアカウントではない、そのユーザーに対応する従業員の関連付けたインスタントメッセージアカウント／メールボックスアカウントではない、そのロールの関連付けたインスタントメッセージアカウント／メールボックスアカウントではない、前記従業員、ユーザー、ロールが監督者である）に、監督者の立場である従業員は、被監督者の使用するインスタントメッセージアカウント／メールボックスアカウントの内容を「その従業員の監督者の立場に対して設定する権限時間帯」で操作し、又は、監督者の立場であるユーザーは、被監督者の使用するインスタントメッセージアカウント／メールボックスアカウントの内容を「そのユーザーの監督者の立場に対して設定する権限時間帯」で操作し、監督者の立場であるロールは、被監督者の使用するインスタントメッセージアカウント／メールボックスアカウントの内容を「そのロールの監督者の立場に対して設定する権限時間帯」で操作し、又は、監督者の立場である従業員／ユーザーは、被監督者の使用するインスタントメッセージアカウント／メールボックスアカウントの内容を「その従業員に対応するユーザーの関連付けたロール或はそのユーザーの関連付けたロールの監督者の立場に対して設定する権限時間帯」で操作する。被監督者ロールに対応する或は被監督者ロールの関連付けたインスタントメッセージアカウント／メールボックスアカウントの内容の操作権限時間帯を設定する必要がなく、監督者に対してインスタントメッセージアカウント／メールボックスアカウントの内容の操作権限時間帯を設定することにより、監督者が被監督者のインスタントメッセージアカウント／メールボックスアカウントを監督する時、その被監督者のインスタントメッセージアカウント／メールボックスアカウントの内容の操作権限時間帯を、監督者に対して設定した操作権限時間帯で全て操作する。
【００３５】
(４)本発明に従業員／ユーザー／ロールが被監督者とし、「監督者」が「被監督者」のインスタントメッセージアカウント／メールボックスアカウントを使用する時（「被監督者」のその従業員の関連付けたインスタントメッセージアカウント／メールボックスアカウント、その従業員に対応するユーザーの関連付けたインスタントメッセージアカウント／メールボックスアカウント、そのユーザーの関連付けたインスタントメッセージアカウント／メールボックスアカウント、「被監督者」のその従業員に対応するユーザーの関連付けたロールの関連付けたインスタントメッセージアカウント／メールボックスアカウント、そのユーザーの関連付けたロールの関連付けたインスタントメッセージアカウント／メールボックスアカウント、そのユーザーに対応する従業員の関連付けたインスタントメッセージアカウント／メールボックスアカウント、そのロールの関連付けたインスタントメッセージアカウント／メールボックスアカウント）、監督者は、監督される従業員の使用するインスタントメッセージアカウント／メールボックスアカウントの内容を「その監督される従業員の被監督者の立場に対して設定する権限時間帯」で操作し、又は、監督者は、監督されるユーザーの使用するインスタントメッセージアカウント／メールボックスアカウントの内容を「その監督されるユーザーの被監督者の立場に対して設定する権限時間帯」で操作し、又は、監督者は、そのロールの関連付けたユーザー或はそのロールの関連付けたユーザーに対応する従業員の使用するインスタントメッセージアカウント／メールボックスアカウントの内容を「その監督されるロールの被監督者の立場に対して設定する権限時間帯」で操作する。
【００３６】
例えば、張三という従業員は、自分の関連付けたインスタントメッセージアカウント／メールボックスアカウントを最近一年間、操作するように設定され、張三は監督者とする時に被監督者のインスタントメッセージアカウント／メールボックスアカウントを最近二年間、操作し、張三が被監督者とする時に、そのインスタントメッセージアカウント／メールボックスアカウントは被監督者に最近三年間、操作される。張三に対応する被監督者は李四、王五、趙六であると、張三は李四、王五、趙六の関連付けたインスタントメッセージアカウント／メールボックスアカウントの最近二年間にわたる内容を操作することができるが、張三は自分の関連付けたインスタントメッセージアカウント／メールボックスアカウントの一年間にわたる内容のみを検分／操作することができる。張三が被監督者である時に、それに対応する監督者は、張三の関連付けたインスタントメッセージアカウント／メールボックスアカウントの最近三年間にわたる内容のみを操作することができる。
【００３７】
(５)  従来の権利管理メカニズムでは、ロールをグループ、職種、クラスなどに定義し、ロールがユーザーとの１対多の関係にある。実際にシステムを使用するプロセスでは、運用プロセスにおいてユーザーの権限を調整する必要がある。たとえば、従業員の権限変更を処理する場合、ロールを関連付ける従業員の権限が変更され、このロールは権限の変更しない他の従業員を関連付けるので、個々の従業員の権限を変更したため、全体のロールの権限が変更できない。そのため、この状況に対応して、権限の変更した従業員に適うために新しいロールを設立する、又は、権限要件に基づいて従業員を直接承認（ロールからの離脱）する。上記の２つの処理方法は、ロールの権限が多数ある場合、ロールの承認に長い時間がかかるだけでなく、ミスを犯しやすく、ユーザーの操作がわずらわしく、面倒であり、システムユーザーの損失につながるエラーも発生しやすい。
【００３８】
しかし、本発明の方法では、ロールが独立した個体であるため、ロール権限を変更して目標を達成することができる。本発明の方法は、システムの初期化時に作業負荷を増加させるように見えるが、ロールの作成或は権限授与の効率は、コピーなどの方法によってグループの性質を有する従来のロールより高くさせる。ユーザーを関連つける時にグループの性質を有するロールの共通性を考慮しないため、この発明技術的手段は、承認設定を明確にさせる。特に、システムが一定期間使用された後（ユーザー／ロールの権限が動的に変化している）、この発明技術的手段は、システム使用時のシステム管理の効率を大幅に向上させ、動的認証をより簡単、便利、明確にさせ、権限設定の効率と信頼性を向上させる。
【００３９】
(６)従来のグループの性質を有するロールの承認方法はエラーが発生しやすく、本発明の方法では、従来の方法でこのグループの性質を有するロールを関連付ける複数のユーザーにどのような共通性があるかを考慮することなく、ロールを独立した個体として考慮するだけでよいため、本発明の方法は権限エラーの確率を大幅に低減させる。承認エラーが発生した場合でも、ロールを関連付けるその一人のユーザのみに影響するが、従来のグループの性質を有するロールはそのロールを関連付ける全部のユーザーに影響する。承認エラーが発生した場合でも、本発明の修正方法は簡単であり、時間が短く、従来のグループの性質を有するロールはエラーを修正する時にそのロールを関連付ける全部のユーザーの共通性を考えなければならない。機能ポイントが多い場合、変更が面倒且つ複雑であるだけでなく、非常にエラーが発生しやすく、且つ多くの場合、新しいロールを作成するだけで解決できる。
【００４０】
(７)従来のグループの性質を有するロールの承認方法では、ロールの権限機能ポイントが多くある場合、時間が長くなると、ロールの具体的な権限を覚えにくく、権限の近付くロールの間の区別を覚えるのはより困難である。本発明の方法のロール自身は、役職番号／職務番号の性質を有しており、選択は明らかである。
【００４１】
(８)異動するときに、異動されたユーザーの多くの権限を他のユーザーに割り当てる場合、処理する時に異動されたユーザーのこれ等の権限を区別して、他のユーザーを関連付けるようにロールをそれぞれ作成する必要がある。このような操作は、複雑であり、時間がかかるだけでなく、エラーが発生しやすくなる。
【００４２】
本発明の方法は次のとおりである。異動されたユーザーはいくつかのロールを関連付け、異動する場合、まず元の部門のロールとユーザーの関連を取り消し（これ等の取り消されたロールは他のユーザーに再度関連付けることができる）、ユーザーは新しい部門のロールを関連付けてもよい。操作は簡単であり、エラーが現れない。
【００４３】
(９)ロールを作成する時或は後、一つの部門を選定するのを必要としてそのロールがその部門に属した後、部門が変更できず、ロールは部門が変更できないのはなぜであるか？理由１：本発明のロールの性質は役職番号／職務番号と同等であるため、様々な役職番号／職務番号の作業内容／権限は異なる。例えば、販売部門の販売員１のロールと技術部門の開発者１のロールは、２つの役職番号／職務番号がまったく異なり、権限が違う。理由２：販売員１のロールの部門（販売部門）が技術部門に置き換えられる場合、販売員１のロールを変更しないと、技術部門には販売部門の権限を有するロールがある。これは、管理の混乱とセキュリティの脆弱性につながる可能性がある。
【図面の簡単な説明】
【００４４】
【図１】図１は、本発明においてメールボックスア内容の操作時間を設定する方法の一種の実施例のローチャートである。
【図２】図２は、本発明において独立した個体の性質を有するロールを介してユーザーを承認する方法の概略図である。
【図３】図３は、本発明においてインスタントメッセージ内容の操作時間を設定する方法の一種の実施例のローチャートである。
【発明を実施するための形態】
【００４５】
本発明の技術的手段は、添付の図面を参照して以下でさらに詳細に説明されるが、本発明の保護範囲は以下に限定されない。
【実施例１】
【００４６】
図１に示すように、システムにおいてメールボックス内容の操作時間帯を設定する方法は、以下のステップを含む。Ｓ００１：一つのロール、ユーザー或は従業員を選択して一人のメールボックス使用者とする。
【００４７】
ロールとメールボックスアカウントは関連関係を組み立てた後、同時に一つのロールが一つのメールボックスアカウントのみを関連付けることができ、一つのメールボックスアカウントが一つのロールのみを関連付けることができる。ユーザーとメールボックスアカウントは関連関係を組み立てた後、同時に一人のユーザが一つのメールボックスアカウントのみを関連付けることができ、一つのメールボックスアカウントが一人のユーザのみを関連付けることができる。従業員とメールボックスアカウントは関連関係を組み立てた後、同時に一つの従業員が一つのメールボックスアカウントのみを関連付けることができ、一つのメールボックスアカウントが一つの従業員のみを関連付けることができる。
【００４８】
図２に示すように、前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【００４９】
ロールの定義：ロールは、グループ／クラス／カテゴリ／役職／職務／職種の性質を有しないが、非集合の性質を有する。ロールは唯一性を有し、独立して存在している個体である。ロールは企業や機関の応用で役職番号と同等である（役職番号はここで役職ではなく、一つの役職に同時に複数の従業員がいるが、一つの役職番号は同時に一つの従業員にしか対応できない）。
【００５０】
たとえば、会社のシステムは次のロールを設立する可能性がある:総経理、副総経理１、副総経理２、北京販売部Ｉの経理、北京販売部ＩＩの経理、北京販売部ＩＩＩの経理、上海販売エンジニア１、上海販売エンジニア２、上海販売エンジニア３、上海販売エンジニア４、上海販売エンジニア５等。ユーザーとロールの関連関係：その会社の従業員である張三は、会社の副総経理２を務め、同時に北京販売部Ｉの経理を務める場合、張三は副総経理２及び北京販売部Ｉの経理というロールを関連付ける必要がある。張三は両方のロールに対する権限を持っている。
【００５１】
従来のロールの概念は、グループ／クラス／役職／職務／職種の性質であり、一つのロールは複数のユーザーに対応できる。本発明の「ロール」の概念は、役職番号／職務番号と同等であり、映画やテレビドラマのロールに似ている。一つのロールは一つの俳優のみに同時に（幼年、少年、中年...）演じられ、一つの俳優は複数のロールを演じることができる。
【００５２】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【００５３】
一つの従業員が一人のユーザに対応し、一人のユーザが一つの従業員に対応し、従業員がそれに対応するユーザーの関連付けるロールにより権限を決定（取得）する。
【００５４】
Ｓ００２：メールボックス使用者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、開始時点から終了時点までの時間帯という４種類のうちの一つ或は複数を含む。
【００５５】
更に、前記権限時間帯は更にシステムの初期化時点から現在時点までの時間帯を含む。
【００５６】
権限時間帯を設置する単位は年、月、日、時、分、秒などである。
【００５７】
以下は、例を挙げて上記の５つの時間帯を説明する。現在時点から固定時間を逆にして得られた時点から現在時点までの時間帯は、例えば、２０１７年６月２０日に、従業員Ａに対しては、２０１７年６月２０日から６日間を逆にして得られた時点から２０１７年６月２０日（現在時点、承認するのは「現在時点まで」であるが、確かな時間点ではない）までの時間帯にある従業員Ａの使用するメールボックスアカウントのメールデータ／内容を検分する権限を与え、即ち、従業員Ａは、２０１７年６月２０日に、２０１７年６月１５日から２０１７年６月２０日までの従業員Ａの使用するメールボックスアカウントのメールデータ／内容を即日検分することができ、２０１７年６月２１日に、２０１７年６月１６日から２０１７年６月２１日までの従業員Ａの使用するメールボックスアカウントのメールデータ／内容を即日検分することができ、２０１７年６月２２日に、２０１７年６月１７日から２０１７年６月２２日までの従業員Ａの使用するメールボックスアカウントのメールデータ／内容を即日検分することができ、その他もろもろ、枚挙にいとまがない。つまり、この時間帯の長さが固定になり、開始時点と終了時点が全て変化する。
【００５８】
開始時点から現在時点までの時間帯（現在時点は動態的である）は、例えば、従業員Ａに対しては、２０１５年５月１日に２０１５年２月１日から即日（現在）までの従業員Ａの使用するメールボックスアカウントのメールデータ／内容を検分する権限を与えると、従業員Ａは、２０１５年２月１日から２０１５年５月１日までの従業員Ａの使用するメールボックスアカウントのメールデータ／内容を検分することができる。２０１５年５月２日に、従業員Ａは、２０１５年２月１日から２０１５年５月２日までの従業員Ａの使用するメールボックスアカウントのメールデータ／内容を検分することができる（更に、開始時点は開始時点を含まないと説明することもできる。開始時点を含まないと、従業員Ａは、２０１５年２月１日の従業員Ａの使用するメールボックスアカウントのメールデータ／内容を検分することができず、２０１５年２月１日以降の従業員Ａの使用するメールボックスアカウントのメールデータ／内容のみを検分することができる。更に、本発明に他の時間帯は開始時点の説明に係ると、開始時点を含まないと説明することもできる）。
【００５９】
終了時点からシステムの初期化時までの時間帯は、例えば、従業員Ａに対しては、２０１５年２月１日からシステムの初期化時までの従業員Ａの使用するメールボックスアカウントのメールデータ／内容を検分する権限を与えると、従業員Ａは、２０１５年２月１日からシステムの初期化時までの従業員Ａの使用するメールボックスアカウントのメールデータ／内容を検分することができる(つまり、従業員Ａは、２０１５年２月１日及びその時点以前のシステムにおける従業員Ａの使用するメールボックスアカウントのメールデータ／内容を検分することができる)(更に、終了時点は終了時点を含まないと説明することもできる。終了時点を含まないと、従業員Ａは、２０１５年２月１日の従業員Ａの使用するメールボックスアカウントのメールデータ／内容を検分することができず、２０１５年２月１日以前の従業員Ａの使用するメールボックスアカウントのメールデータ／内容のみを検分することができる。さらに、システムの初期化時点が設定できず、終了時点のみを設定すると、従業員Ａは、終了時点とその以前の従業員Ａの使用するメールボックスアカウントのメールデータ／内容を検分することができる。又は、従業員Ａは、終了時点以前の従業員Ａの使用するメールボックスアカウントのメールデータ／内容を検分することができる)。
【００６０】
開始時点から終了時点までの時間帯は、例えば、従業員Ａに対しては、２０１５年２月１日から２０１５年６月１日までの従業員Ａの使用するメールボックスアカウントのメールデータ／内容を検分する権限を与えると、従業員Ａは、２０１５年２月１日から２０１５年６月１日での従業員Ａの使用するメールボックスアカウントのメールデータ／内容を検分することができる。
【００６１】
システムの初期化時から現在時点までの時間帯（現在時点は動態的である）は、例えば、従業員Ａに対しては、２０１７年６月１日にシステムの初期化時点から現在時点までの従業員Ａの使用するメールボックスアカウントのメールデータ／内容を検分する権限を与えると、従業員Ａは、２０１７年６月１日に、システムの初期化時点から２０１７年６月１日までの従業員Ａの使用するメールボックスアカウントのメールデータ／内容を検分することができ、２０１７年６月２日に、システムの初期化時点から２０１７年６月２日までの従業員Ａの使用するメールボックスアカウントのメールデータ／内容を検分することができ、その他もろもろ、枚挙にいとまがない。更に、システムの初期化時点が設定できず、システムの初期化時点から現在時点までの時間帯は全ての時間に時間帯である。更に、本発明に他の時間帯はシステムの初期化時点の説明に係ると、システムの初期化時点を設定しないと説明することもできる。
【００６２】
前記終了時点と開始時点は全て手動で設定される。
【００６３】
上記は、従業員Ａに対して権限時間帯を設定するが、メールボックスアカウントを目指しなくている。従業員Ａに対いして権限時間帯を設定したと、従業員Ａは、其れの使用するメールボックスが従業員Ａに対して設定する権限時間帯において内容のみを操作することができる。従業員Ａが現在使用するのはメールボックスＡであり、この後、従業員ＡはメールボックスＡを使用しないが、メールボックスＢを使用すると、従業員ＡはメールボックスＢが従業員Ａに対して設定する権限時間帯において内容のみを操作することができる。
【００６４】
前記メールボックス使用者は、そのメールボックス使用者の使用するメールボックスアカウントのそのメールボックス使用者の権限時間帯において内容を操作する。ここに操作はデータ／内容を検分すること、データ／内容を削除すること等の一種或は複数種を具体的に含む。
【００６５】
更に、前記メールボックス使用者は、そのメールボックス使用者の使用するメールボックスアカウントの権限時間帯（又は、そのメールボックス使用者の権限時間帯）にある内容のみを操作することができる。
【００６６】
メールボックス使用者がロールである場合に、メールボックス使用者の使用するメールボックスアカウントは、そのロールの関連付けたメールボックスアカウントを含む。メールボックス使用者がユーザーである場合に、メールボックス使用者の使用するメールボックスアカウントは、そのユーザーの関連付けたメールボックスアカウント、そのユーザーに対応する従業員の関連付けたメールボックスアカウント、そのユーザーの関連付けたロールの関連付けたメールボックスアカウントを含む。メールボックス使用者が従業員である場合に、メールボックス使用者の使用するメールボックスアカウントは、その従業員の関連付けたメールボックスアカウント、その従業員に対応するユーザーの関連付けたメールボックスアカウント、その従業員に対応するユーザーの関連付けたロールの関連付けたメールボックスアカウントを含む。
【００６７】
前記メールボックスアカウントの出所は以下の二種のうちの一種或は二種を含む。第一、メールボックスアカウントは、システムにおけるメールボックスプログラム(ソフトウェア)のメールボックスアカウントであり（即ち、システムにおけるメールボックスアカウント）、この場合に、更にメールボックスアカウントを作成するステップを含む。第二、メールボックスアカウントは、第三者の提供するメールサービスのメールボックスアカウントであり、ネットイースのメールアカウントやＱＱのメールアカウントなどを例にする。ここにシステムは企業および事業団体等の使用する管理システムであり、システムにおけるメールボックスプログラムは、システムの一部だけであり、システムの全体ではない。
【実施例２】
【００６８】
システムにおいてメールボックス内容の操作時間帯を設定する方法は、以下のステップを含む。Ｓ０１１：一つのメールボックスアカウントのために一つの権限時間帯（メールボックス使用者に対して時間帯を設定しない）を設定し、前記権限時間帯は、現在時点から固定時間を逆にして得られた時点から現在時点までの時間帯、開始時点から現在時点までの時間帯、終了時点からシステムの初期化時点までの時間帯、及び、開始時点から終了時点までの時間帯という４種類のうちの一つ或は複数を含む。
【００６９】
更に、前記権限時間帯は更にシステムの初期化時点から現在時点までの時間帯を含む。
【００７０】
権限時間帯を設置する単位は年、月、日、時、分、秒などである。
【００７１】
前記メールボックスアカウントの出所は以下の二種のうちの一種或は二種を含む。第一、メールボックスアカウントは、システムにおけるメールボックスプログラム(ソフトウェア)のメールボックスアカウントであり（即ち、システムにおけるメールボックスアカウント）、この場合に、更にメールボックスアカウントを作成するステップを含む。第二、メールボックスアカウントは、第三者の提供するメールサービスのメールボックスアカウントであり、ネットイースのメールアカウントやＱＱのメールアカウントなどを例にする。ここにシステムは企業および事業団体等の使用する管理システムであり、システムにおけるメールボックスプログラムは、システムの一部だけであり、システムの絶対的な全体ではない。
【００７２】
Ｓ０１２：そのメールボックスアカウントを使用する全てのロール、ユーザー及び従業員は、そのメールボックスアカウントのそのメールボックスアカウントの権限時間帯において内容を操作する。操作はデータ／内容を検分すること、データ／内容を削除すること等の一種或は複数種を具体的に含む。
【００７３】
更に、そのメールボックアカウントを使用する全てのロール、ユーザー、従業員は、そのメールボックスアカウントの権限時間帯（又は、そのメールボックアカウントの権限時間帯に）にある内容のみを操作することができる。
【００７４】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【００７５】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【００７６】
一つの従業員が一人のユーザに対応し、一人のユーザが一つの従業員に対応し、従業員がそれに対応するユーザーの関連付けるロールにより権限を決定（取得）する。
【実施例３】
【００７７】
システムにおいてメールボックス内容の操作時間帯を設定する方法は、以下のステップを含む。Ｓ０２１：一つのロール、ユーザー或は従業員を選択して一人の監督者とする。
【００７８】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【００７９】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【００８０】
一つの従業員が一人のユーザに対応し、一人のユーザが一つの従業員に対応し、従業員がそれに対応するユーザーの関連付けるロールにより権限を決定（取得）する。
【００８１】
Ｓ０２２：監督者ごとに一つ或は複数の被監督者を設定し、前記被監督者がロール、ユーザー或は従業員である。Ｓ０２３：監督者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、開始時点から終了時点までの時間帯という４種類のうちの一つ或は複数を含む。
【００８２】
更に、前記権限時間帯は更にシステムの初期化時点から現在時点までの時間帯を含む。
【００８３】
権限時間帯を設置する単位は年、月、日、時、分、秒などである。
【００８４】
監督者ごとは、相応の被監督者の使用するメールボックスアカウントのその監督者の権限時間帯において内容を操作する。ここに操作はデータ／内容を検分すること、データ／内容を削除すること等の一種或は複数種を具体的に含む。
【００８５】
更に、監督者ごとは、相応の被監督者の使用するメールボックスアカウントのその監督者の権限時間帯において内容のみを操作することができる。
【００８６】
被監督者がロールである時に、被監督者の使用するメールボックスアカウントはそのロールの関連付けたメールボックスアカウントを含む。被監督者がユーザーである時に、被監督者の使用するメールボックスアカウントはそのユーザーの関連付けたメールボックスアカウント、そのユーザーに対応する従業員の関連付けたメールボックスアカウント、そのユーザーの関連付けたロールの関連付けたメールボックスアカウントを含む。被監督者が従業員である時に、被監督者の使用するメールボックスアカウントはその従業員の関連付けたメールボックスアカウント、その従業員に対応するユーザーの関連付けたメールボックスアカウント、その従業員に対応するユーザーの関連付けたロールの関連付けたメールボックスアカウントを含む。
【００８７】
前記メールボックスアカウントの出所は以下の二種のうちの一種或は二種を含む。第一、メールボックスアカウントは、システムにおけるメールボックスプログラム(ソフトウェア)のメールボックスアカウントであり（即ち、システムにおけるメールボックスアカウント）、この場合に、更にメールボックスアカウントを作成するステップを含む。第二、メールボックスアカウントは、第三者の提供するメールサービスのメールボックスアカウントであり、ネットイースのメールアカウントやＱＱのメールアカウントなどを例にする。ここにシステムは企業および事業団体等の使用する管理システムであり、システムにおけるメールボックスプログラムは、システムの一部だけであり、システムの絶対的な全体ではない。
【実施例４】
【００８８】
システムにおいてメールボックス内容の操作時間帯を設定する方法は、以下のステップを含む。Ｓ０３１：一つのロール、ユーザー或は従業員を選択して一人の被監督者とする。
【００８９】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【００９０】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【００９１】
一つの従業員が一人のユーザに対応し、一人のユーザが一つの従業員に対応し、従業員がそれに対応するユーザーの関連付けるロールにより権限を決定（取得）する。
【００９２】
Ｓ０３２：被監督者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、開始時点から終了時点までの時間帯という４種類のうちの一つ或は複数を含む。
【００９３】
更に、前記権限時間帯は更にシステムの初期化時点から現在時点までの時間帯を含む。
【００９４】
権限時間帯を設置する単位は年、月、日、時、分、秒などである。
【００９５】
被監督者ごとに対応する全ての監督者は、その被監督者の使用するメールボックスアカウントのその被監督者の権限時間帯において内容を操作する。ここに操作はデータ／内容を検分すること、データ／内容を削除すること等の一種或は複数種を具体的に含む。
【００９６】
更に、被監督者ごとに対応する全ての監督者は、その被監督者の使用するメールボックスアカウントのその被監督者の権限時間帯において内容のみを操作することができる。
【００９７】
被監督者がロールである時に、被監督者の使用するメールボックスアカウントはそのロールの関連付けたメールボックスアカウントを含む。被監督者がユーザーである時に、被監督者の使用するメールボックスアカウントはそのユーザーの関連付けたメールボックスアカウント、そのユーザーに対応する従業員の関連付けたメールボックスアカウント、そのユーザーの関連付けたロールの関連付けたメールボックスアカウントを含む。被監督者が従業員である時に、被監督者の使用するメールボックスアカウントはその従業員の関連付けたメールボックスアカウント、その従業員に対応するユーザーの関連付けたメールボックスアカウント、その従業員に対応するユーザーの関連付けたロールの関連付けたメールボックスアカウントを含む。
【００９８】
前記メールボックスアカウントの出所は以下の二種のうちの一種或は二種を含む。第一、メールボックスアカウントは、システムにおけるメールボックスプログラム(ソフトウェア)のメールボックスアカウントであり（即ち、システムにおけるメールボックスアカウント）、この場合に、更にメールボックスアカウントを作成するステップを含む。第二、メールボックスアカウントは、第三者の提供するメールサービスのメールボックスアカウントであり、ネットイースのメールアカウントやＱＱのメールアカウントなどを例にする。ここにシステムは企業および事業団体等の使用する管理システムであり、システムにおけるメールボックスプログラムは、システムの一部だけであり、システムの絶対的な全体ではない。
【実施例５】
【００９９】
システムにおいてメールボックス内容の操作時間帯を設定する方法は、以下のステップを含む。Ｓ０４１：一つのロール、ユーザー或は従業員を選択して一人のメールボックス使用者とする。
【０１００】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０１０１】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０１０２】
一つの従業員が一人のユーザに対応し、一人のユーザが一つの従業員に対応し、従業員がそれに対応するユーザーの関連付けるロールにより権限を決定（取得）する。
【０１０３】
Ｓ０４２：メールボックス使用者ごとに権限時間帯を設定し、前記権限時間帯は、そのメールボックス使用者及び現在関連付けるメールボックスアカウントの関連時点から固定時間を順にして得られた時点から現在時点までの時間帯、そのメールボックス使用者及び現在関連付けるメールボックスアカウントの関連時点から固定時間を逆にして得られた時点からシステムの初期化時点までの時間帯、そのメールボックス使用者及び現在関連付けるメールボックスアカウントの関連時点からシステムの初期化時点までの時間帯、及び、そのメールボックス使用者及び現在関連付けるメールボックスアカウントの関連時点から現在時点までの時間帯という４種類のうちの一つ或は複数を含む。
【０１０４】
以下は、例を挙げて上記の４つの時間帯を説明する。そのメールボックス使用者及び現在関連付けるメールボックスアカウントの関連時点から固定時間を順にして得られた時点から現在時点までの時間帯。例えば、従業員Ｂの現在関連付けるメールボックスアカウントの関連時点が２０１６年５月１日であり、従業員Ｂの権限時間帯を、その従業員Ｂ及びその現在関連付けるメールボックスアカウントの関連時点から二か月間を順にして得られた時点から現在時点までの時間帯と設定する。従って、従業員Ｂは、その関連付けたメールボックスアカウントの２０１６年３月１日以降にわたる全ての内容を操作することができる。その権限時間帯を従業員Ｂに設定し、従業員Ｂが２０１６年１０月１日にメールボックスアカウントを新たに関連付けたと、従業員Ｂは、その新たに関連付けたメールボックスアカウントの２０１６年８月１日以降にわたる全ての内容を操作することができる。
【０１０５】
そのメールボックス使用者及び現在関連付けるメールボックスアカウントの関連時点から固定時間を逆にして得られた時点からシステムの初期化時点までの時間帯。例えば、従業員Ｂの現在関連付けるメールボックスアカウントの関連時点が２０１６年５月１日であり、従業員Ｂの権限時間帯を、その従業員Ｂ及びその現在関連付けるメールボックスアカウントの関連時点から二か月間を逆にして得られた時点からシステムの初期化時点までの時間帯と設定する。従って、従業員Ｂは、その関連付けたメールボックスアカウントの２０１６年７月１日以前にわたる全ての内容を操作することができる。
【０１０６】
そのメールボックス使用者及び現在関連付けるメールボックスアカウントの関連時点からシステムの初期化時点までの時間帯。例えば、従業員Ｂの現在関連付けるメールボックスアカウントの関連時点が２０１６年５月１日であり、従業員Ｂの権限時間帯を、その従業員Ｂ及びその現在関連付けるメールボックスアカウントの関連時点からシステムの初期化時点までの時間帯と設定する。従って、従業員Ｂは、その関連付けたメールボックスアカウントの２０１６年５月１日以前にわたる全ての内容を操作することができる。
【０１０７】
そのメールボックス使用者及び現在関連付けるメールボックスアカウントの関連時点から現在時点までの時間帯。例えば、従業員Ｂの現在関連付けるメールボックスアカウントの関連時点が２０１６年５月１日であり、従業員Ｂの権限時間帯を、その従業員Ｂ及びその現在関連付けるメールボックスアカウントの関連時点から現在時点までの時間帯と設定する。従って、従業員Ｂは、その関連付けたメールボックスアカウントの２０１６年５月１日以降にわたる全ての内容を操作することができる。
【０１０８】
前記メールボックス使用者は、そのメールボックス使用者の使用するメールボックスアカウントのそのメールボックス使用者の権限時間帯において内容を操作する。ここに操作はデータ／内容を検分すること、データ／内容を削除すること等の一種或は複数種を具体的に含む。
【０１０９】
更に、前記メールボックス使用者は、そのメールボックス使用者の使用するメールボックスアカウントの権限時間帯（又は、そのメールボックス使用者の権限時間帯）にある内容のみを操作することができる。
【０１１０】
メールボックス使用者がロールである場合に、メールボックス使用者の使用するメールボックスアカウントは、そのロールの関連付けたメールボックスアカウントを含む。メールボックス使用者がユーザーである場合に、メールボックス使用者の使用するメールボックスアカウントは、そのユーザーの関連付けたメールボックスアカウント、そのユーザーに対応する従業員の関連付けたメールボックスアカウント、そのユーザーの関連付けたロールの関連付けたメールボックスアカウントを含む。メールボックス使用者が従業員である場合に、メールボックス使用者の使用するメールボックスアカウントは、その従業員の関連付けたメールボックスアカウント、その従業員に対応するユーザーの関連付けたメールボックスアカウント、その従業員に対応するユーザーの関連付けたロールの関連付けたメールボックスアカウントを含む。
【０１１１】
前記メールボックスアカウントの出所は以下の二種のうちの一種或は二種を含む。第一、メールボックスアカウントは、システムにおけるメールボックスプログラム(ソフトウェア)のメールボックスアカウントであり（即ち、システムにおけるメールボックスアカウント）、この場合に、更にメールボックスアカウントを作成するステップを含む。第二、メールボックスアカウントは、第三者の提供するメールサービスのメールボックスアカウントであり、ネットイースのメールアカウントやＱＱのメールアカウントなどを例にする。ここにシステムは企業および事業団体等の使用する管理システムであり、システムにおけるメールボックスプログラムは、システムの一部だけであり、システムの絶対的な全体ではない。
【実施例６】
【０１１２】
システムにおいてメールボックス内容の操作時間帯を設定する方法は、以下のステップを含む。Ｓ０５１：一つのメールボックスアカウントのために一つの権限時間帯を設定し、前記権限時間帯は、そのメールボックスアカウント及び現在関連付けるメールボックス使用者の関連時点から固定時間を順にして得られた時点から現在時点までの時間帯、そのメールボックスアカウント及び現在関連付けるメールボックス使用者の関連時点から固定時間を逆にして得られた時点からシステムの初期化時点までの時間帯、そのメールボックスアカウント及び現在関連付けるメールボックス使用者の関連時点からシステムの初期化時点までの時間帯、及び、そのメールボックスアカウント及び現在関連付けるメールボックス使用者の関連時点から現在時点までの時間帯という４種類のうちの一つ或は複数を含む。
【０１１３】
前記メールボックスアカウントの出所は以下の二種のうちの一種或は二種を含む。第一、メールボックスアカウントは、システムにおけるメールボックスプログラム(ソフトウェア)のメールボックスアカウントであり（即ち、システムにおけるメールボックスアカウント）、この場合に、更にメールボックスアカウントを作成するステップを含む。第二、メールボックスアカウントは、第三者の提供するメールサービスのメールボックスアカウントであり、ネットイースのメールアカウントやＱＱのメールアカウントなどを例にする。ここにシステムは企業および事業団体等の使用する管理システムであり、システムにおけるメールボックスプログラムは、システムの一部だけであり、システムの絶対的な全体ではない。
【０１１４】
Ｓ０５２：そのメールボックスアカウントを使用する全てのロール、ユーザー及び従業員は、そのメールボックスアカウントのそのメールボックスアカウントの権限時間帯において内容を操作する。ここに操作はデータ／内容を検分すること、データ／内容を削除すること等の一種或は複数種を具体的に含む。
【０１１５】
更に、そのメールボックアカウントを使用する全てのロール、ユーザー、従業員は、そのメールボックスアカウントの権限時間帯（又は、そのメールボックアカウントの権限時間帯に）にある内容のみを操作することができる。
【０１１６】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０１１７】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０１１８】
一つの従業員が一人のユーザに対応し、一人のユーザが一つの従業員に対応し、従業員がそれに対応するユーザーの関連付けるロールにより権限を決定（取得）する。
【実施例７】
【０１１９】
システムにおいてメールボックス内容の操作時間帯を設定する方法は、以下のステップを含む。Ｓ０６１：一つのロール、ユーザー或は従業員を選択して一人の監督者とする。
【０１２０】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０１２１】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０１２２】
一つの従業員が一人のユーザに対応し、一人のユーザが一つの従業員に対応し、従業員がそれに対応するユーザーの関連付けるロールにより権限を決定（取得）する。
【０１２３】
Ｓ０６２：監督者ごとに一つ或は複数の被監督者を設定し、前記被監督者がロール、ユーザー或は従業員である。
【０１２４】
Ｓ０６３：監督者ごとに権限時間帯を設定し、前記権限時間帯は、そのメールボックス使用者及び現在関連付けるメールボックスアカウントの関連時点から固定時間を順にして得られた時点から現在時点までの時間帯、そのメールボックス使用者及び現在関連付けるメールボックスアカウントの関連時点から固定時間を逆にして得られた時点からシステムの初期化時点までの時間帯、そのメールボックス使用者及び現在関連付けるメールボックスアカウントの関連時点からシステムの初期化時点までの時間帯、そのメールボックス使用者及び現在関連付けるメールボックスアカウントの関連時点から現在時点までの時間帯という４種類のうちの一つ或は複数を含む。
【０１２５】
監督者ごとは、相応の被監督者の使用するメールボックスアカウントのその監督者の権限時間帯において内容を操作する。ここに操作はデータ／内容を検分すること、データ／内容を削除すること等の一種或は複数種を具体的に含む。
【０１２６】
更に、監督者ごとは、相応の被監督者の使用するメールボックスアカウントのその監督者の権限時間帯において内容のみを操作することができる。
【０１２７】
被監督者がロールである時に、被監督者の使用するメールボックスアカウントはそのロールの関連付けたメールボックスアカウントを含む。被監督者がユーザーである時に、被監督者の使用するメールボックスアカウントはそのユーザーの関連付けたメールボックスアカウント、そのユーザーに対応する従業員の関連付けたメールボックスアカウント、そのユーザーの関連付けたロールの関連付けたメールボックスアカウントを含む。被監督者が従業員である時に、被監督者の使用するメールボックスアカウントは、その従業員の関連付けたメールボックスアカウント、その従業員に対応するユーザーの関連付けたメールボックスアカウント、その従業員に対応するユーザーの関連付けたロールの関連付けたメールボックスアカウントを含む。
【０１２８】
前記メールボックスアカウントの出所は以下の二種のうちの一種或は二種を含む。第一、メールボックスアカウントは、システムにおけるメールボックスプログラム(ソフトウェア)のメールボックスアカウントであり（即ち、システムにおけるメールボックスアカウント）、この場合に、更にメールボックスアカウントを作成するステップを含む。第二、メールボックスアカウントは、第三者の提供するメールサービスのメールボックスアカウントであり、ネットイースのメールアカウントやＱＱのメールアカウントなどを例にする。ここにシステムは企業および事業団体等の使用する管理システムであり、システムにおけるメールボックスプログラムは、システムの一部だけであり、システムの絶対的な全体ではない。
【実施例８】
【０１２９】
システムにおいてメールボックス内容の操作時間帯を設定する方法は、以下のステップを含む。Ｓ０７１：一つのロール、ユーザー或は従業員を選択して一人の被監督者とする。
【０１３０】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０１３１】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０１３２】
一つの従業員が一人のユーザに対応し、一人のユーザが一つの従業員に対応し、従業員がそれに対応するユーザーの関連付けるロールにより権限を決定（取得）する。
【０１３３】
Ｓ０７２：被監督者ごとに権限時間帯を設定し、前記権限時間帯は、そのメールボックス使用者及び現在関連付けるメールボックスアカウントの関連時点から固定時間を順にして得られた時点から現在時点までの時間帯、そのメールボックス使用者及び現在関連付けるメールボックスアカウントの関連時点から固定時間を逆にして得られた時点からシステムの初期化時点までの時間帯、そのメールボックス使用者及び現在関連付けるメールボックスアカウントの関連時点からシステムの初期化時点までの時間帯、及び、そのメールボックス使用者及び現在関連付けるメールボックスアカウントの関連時点から現在時点までの時間帯という４種類のうちの一つ或は複数を含む。
【０１３４】
被監督者ごとに対応する全ての監督者は、その被監督者の使用するメールボックスアカウントのその被監督者の権限時間帯において内容を操作する。ここに操作はデータ／内容を検分すること、データ／内容を削除すること等の一種或は複数種を具体的に含む。
【０１３５】
更に、被監督者ごとに対応する全ての監督者は、その被監督者の使用するメールボックスアカウントのその被監督者の権限時間帯において内容のみを操作することができる。
【０１３６】
被監督者がロールである時に、被監督者の使用するメールボックスアカウントはそのロールの関連付けたメールボックスアカウントを含む。被監督者がユーザーである時に、被監督者の使用するメールボックスアカウントはそのユーザーの関連付けたメールボックスアカウント、そのユーザーに対応する従業員の関連付けたメールボックスアカウント、そのユーザーの関連付けたロールの関連付けたメールボックスアカウントを含む。被監督者が従業員である時に、被監督者の使用するメールボックスアカウントはその従業員の関連付けたメールボックスアカウント、その従業員に対応するユーザーの関連付けたメールボックスアカウント、その従業員に対応するユーザーの関連付けたロールの関連付けたメールボックスアカウントを含む。
【０１３７】
前記メールボックスアカウントの出所は以下の二種のうちの一種或は二種を含む。第一、メールボックスアカウントは、システムにおけるメールボックスプログラム(ソフトウェア)のメールボックスアカウントであり（即ち、システムにおけるメールボックスアカウント）、この場合に、更にメールボックスアカウントを作成するステップを含む。第二、メールボックスアカウントは、第三者の提供するメールサービスのメールボックスアカウントであり、ネットイースのメールアカウントやＱＱのメールアカウントなどを例にする。ここにシステムは企業および事業団体等の使用する管理システムであり、システムにおけるメールボックスプログラムは、システムの一部だけであり、システムの絶対的な全体ではない。
【実施例９】
【０１３８】
図３に示すように、システムにおいてインスタントメッセージ内容の操作時間帯を設定する方法は、以下のステップを含む。Ｓ０８１：一つのロール、ユーザー或は従業員を選択して一つのインスタントメッセージ使用者とする。
【０１３９】
ロールとインスタントメッセージアカウントは関連関係を組み立てた後、同時に一つのロールが一つのインスタントメッセージアカウントのみを関連付けることができ、一つのインスタントメッセージアカウントが一つのロールのみを関連付けることができる。ユーザーとインスタントメッセージアカウントは関連関係を組み立てた後、同時に一人のユーザが一つのインスタントメッセージアカウントのみを関連付けることができ、一つのインスタントメッセージアカウントが一人のユーザのみを関連付けることができる。従業員とインスタントメッセージアカウントは関連関係を組み立てた後、同時に一つの従業員が一つのインスタントメッセージアカウントのみを関連付けることができ、一つのインスタントメッセージアカウントが一つの従業員のみを関連付けることができる。
【０１４０】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０１４１】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０１４２】
一つの従業員が一人のユーザに対応し、一人のユーザが一つの従業員に対応し、従業員がそれに対応するユーザーの関連付けるロールにより権限を決定（取得）する。
【０１４３】
Ｓ０８２：インスタントメッセージ使用者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、開始時点から終了時点までの時間帯という４種類のうちの一つ或は複数を含む。
【０１４４】
更に、前記権限時間帯は更にシステムの初期化時点から現在時点までの時間帯を含む。
【０１４５】
権限時間帯を設置する単位は年、月、日、時、分、秒などである。
【０１４６】
以下は、例を挙げて上記の５つの時間帯を説明する。現在時点から固定時間を逆にして得られた時点から現在時点までの時間帯は、例えば、２０１７年６月２０日に、従業員Ａに対しては、２０１７年６月２０日から６日間を逆にして得られた時点から２０１７年６月２０日（現在時点、承認するのは「現在時点まで」であるが、確かな時間点ではない）までの時間帯にある従業員Ａの使用するインスタントメッセージアカウントのインスタントメッセージデータ／内容を検分する権限を与え、即ち、従業員Ａは、２０１７年６月２０日に、２０１７年６月１５日から２０１７年６月２０日までの従業員Ａの使用するインスタントメッセージアカウントのインスタントメッセージ／内容を即日検分することができ、２０１７年６月２１日に、２０１７年６月１６日から２０１７年６月２１日までの従業員Ａの使用するインスタントメッセージアカウントのインスタントメッセージデータ／内容を即日検分することができ、２０１７年６月２２日に、２０１７年６月１７日から２０１７年６月２２日までの従業員Ａの使用するインスタントメッセージアカウントのインスタントメッセージデータ／内容を即日検分することができ、その他もろもろ、枚挙にいとまがない。つまり、この時間帯の長さが固定になり、開始時点と終了時点が全て変化になる。
【０１４７】
開始時点から現在時点までの時間帯（現在時点は動態的である）は、例えば、従業員Ａに対しては、２０１５年５月１日に２０１５年２月１日から即日（現在）までの従業員Ａの使用するインスタントメッセージアカウントのインスタントメッセージデータ／内容を検分する権限を与えると、従業員Ａは、２０１５年２月１日から２０１５年５月１日までの従業員Ａの使用するインスタントメッセージアカウントのインスタントメッセージデータ／内容を検分することができる。２０１５年５月２日に、従業員Ａは、２０１５年２月１日から２０１５年５月２日までの従業員Ａの使用するインスタントメッセージアカウントのインスタントメッセージデータ／内容を検分することができる（更に、開始時点は開始時点を含まないと説明することもできる。開始時点を含まないと、従業員Ａは、２０１５年２月１日の従業員Ａの使用するインスタントメッセージアカウントのインスタントメッセージデータ／内容を検分することができず、２０１５年２月１日以降の従業員Ａの使用するインスタントメッセージアカウントのインスタントメッセージデータ／内容のみを検分することができる。更に、本発明に他の時間帯は開始時点の説明に係ると、開始時点を含まないと説明することもできる）。
【０１４８】
終了時点からシステムの初期化時までの時間帯は、例えば、従業員Ａに対しては、２０１５年２月１日からシステムの初期化時までの従業員Ａの使用するインスタントメッセージアカウントのインスタントメッセージデータ／内容を検分する権限を与えると、従業員Ａは、２０１５年２月１日からシステムの初期化時までの従業員Ａの使用するインスタントメッセージアカウントのインスタントメッセージデータ／内容を検分することができる(つまり、従業員Ａは、２０１５年２月１日及びその時点以前のシステムにおける従業員Ａの使用するインスタントメッセージアカウントのインスタントメッセージデータ／内容を検分することができる)(更に、終了時点は終了時点を含まないと説明することもできる。終了時点を含まないと、従業員Ａは、２０１５年２月１日の従業員Ａの使用するインスタントメッセージアカウントのインスタントメッセージデータ／内容を検分することができず、２０１５年２月１日以前の従業員Ａの使用するインスタントメッセージアカウントのインスタントメッセージデータ／内容のみを検分することができる。さらに、システムの初期化時点が設定できず、終了時点のみを設定すると、従業員Ａは、終了時点とその以前の従業員Ａの使用するインスタントメッセージアカウントのインスタントメッセージデータ／内容を検分することができる。又は、従業員Ａは、終了時点以前の従業員Ａの使用するインスタントメッセージアカウントのインスタントメッセージデータ／内容を検分することができる)。
【０１４９】
開始時点から終了時点までの時間帯は、例えば、従業員Ａに対しては、２０１５年２月１日から２０１５年６月１日までの従業員Ａの使用するインスタントメッセージアカウントのインスタントメッセージデータ／内容を検分する権限を与えると、従業員Ａは、２０１５年２月１日から２０１５年６月１日での従業員Ａの使用するインスタントメッセージアカウントのインスタントメッセージデータ／内容を検分することができる。
【０１５０】
システムの初期化時から現在時点までの時間帯（現在時点は動態的である）は、例えば、従業員Ａに対しては、２０１７年６月１日にシステムの初期化時点から現在時点までの従業員Ａの使用するインスタントメッセージアカウントのインスタントメッセージデータ／内容を検分する権限を与えると、従業員Ａは、２０１７年６月１日に、システムの初期化時点から２０１７年６月１日までの従業員Ａの使用するインスタントメッセージアカウントのインスタントメッセージデータ／内容を検分することができ、２０１７年６月２日に、システムの初期化時点から２０１７年６月２日までの従業員Ａの使用するインスタントメッセージアカウントのインスタントメッセージデータ／内容を検分することができ、その他もろもろ、枚挙にいとまがない。更に、システムの初期化時点が設定できず、システムの初期化時点から現在時点までの時間帯は全ての時間に時間帯である。更に、本発明に他の時間帯はシステムの初期化時点の説明に係ると、システムの初期化時点を設定しないと説明することもできる。
【０１５１】
前記終了時点と開始時点は全て手動で設定される。
【０１５２】
上記は、従業員Ａに対して権限時間帯を設定するが、インスタントメッセージアカウントを目指しなくている。従業員Ａに対いして権限時間帯を設定したと、従業員Ａは、其れの使用するインスタントメッセージアカウントが従業員Ａに対して設定する権限時間帯において内容のみを操作することができる。従業員Ａが現在使用するのはインスタントメッセージアカウントＡであり、この後、従業員ＡはインスタントメッセージアカウントＡを使用しないが、インスタントメッセージアカウントＢを使用すると、従業員ＡはインスタントメッセージアカウントＢが従業員Ａに対して設定する権限時間帯において内容のみを操作することができる。
【０１５３】
前記インスタントメッセージ使用者は、そのインスタントメッセージ使用者の使用するインスタントメッセージアカウントのそのインスタントメッセージ使用者の権限時間帯において内容を操作する。ここに操作はデータ／内容を検分すること、データ／内容を削除すること等の一種或は複数種を具体的に含む。
【０１５４】
更に、前記インスタントメッセージ使用者は、そのインスタントメッセージ使用者の使用するインスタントメッセージアカウントの権限時間帯（又は、そのインスタントメッセージ使用者の権限時間帯）にある内容のみを操作することができる。
【０１５５】
インスタントメッセージ使用者がロールである場合に、インスタントメッセージ使用者の使用するインスタントメッセージアカウントは、そのロールの関連付けたインスタントメッセージアカウントを含む。インスタントメッセージ使用者がユーザーである場合に、インスタントメッセージ使用者の使用するインスタントメッセージアカウントは、そのユーザーの関連付けたインスタントメッセージアカウント、そのユーザーに対応する従業員の関連付けたインスタントメッセージアカウント、そのユーザーの関連付けたロールの関連付けたインスタントメッセージアカウントを含む。インスタントメッセージ使用者が従業員である場合に、インスタントメッセージ使用者の使用するインスタントメッセージアカウントは、その従業員の関連付けたインスタントメッセージアカウント、その従業員に対応するユーザーの関連付けたインスタントメッセージアカウント、その従業員に対応するユーザーの関連付けたロールの関連付けたインスタントメッセージアカウントを含む。
【０１５６】
前記インスタントメッセージアカウントの出所は以下の二種のうちの一種或は二種を含む。第一、インスタントメッセージアカウントは、システムにおけるインスタントメッセージプログラム(ソフトウェア)のインスタントメッセージアカウントであり（即ち、システムにおけるインスタントメッセージアカウント）、この場合に、更にインスタントメッセージアカウントを作成するステップを含む。第二、インスタントメッセージアカウントは、第三者の提供するインスタントメッセージソフトウェアのインスタントメッセージアカウントである。ここにシステムは企業および事業団体等の使用する管理システムであり、システムにおけるインスタントメッセージプログラムは、システムの一部だけであり、システムの全体ではない。
【実施例１０】
【０１５７】
システムにおいてインスタントメッセージ内容の操作時間帯を設定する方法は、以下のステップを含む。Ｓ０９１：一つのインスタントメッセージアカウントのために一つの権限時間帯（インスタントメッセージ使用者に対して時間帯を設定しない）を設定し、前記権限時間帯は、現在時点から固定時間を逆にして得られた時点から現在時点までの時間帯、開始時点から現在時点までの時間帯、及び、終了時点からシステムの初期化時点までの時間帯、開始時点から終了時点までの時間帯という４種類のうちの一つ或は複数を含む。
【０１５８】
前記インスタントメッセージアカウントの出所は以下の二種のうちの一種或は二種を含む。第一、インスタントメッセージアカウントは、システムにおけるインスタントメッセージプログラム(ソフトウェア)のインスタントメッセージアカウントであり（即ち、システムにおけるインスタントメッセージアカウント）、この場合に、更にインスタントメッセージアカウントを作成するステップを含む。第二、インスタントメッセージアカウントは、第三者の提供するインスタントメッセージソフトウェアのインスタントメッセージアカウントである。ここにシステムは企業および事業団体等の使用する管理システムであり、システムにおけるインスタントメッセージプログラムは、システムの一部だけであり、システムの絶対的な全体ではない。
【０１５９】
Ｓ０９２：そのインスタントメッセージアカウントを使用する全てのロール、ユーザー及び従業員は、そのインスタントメッセージアカウントのそのインスタントメッセージアカウントの権限時間帯において内容を操作する。ここに操作はデータ／内容を検分すること、データ／内容を削除すること等の一種或は複数種を具体的に含む。
【０１６０】
更に、前記インスタントメッセージアカウントに対応するロール、ユーザー、従業員は、そのインスタントメッセージアカウントの権限時間帯（又は、そのインスタントメッセージアカウントの権限時間帯に）にある内容のみを操作することができる。
【０１６１】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０１６２】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０１６３】
一つの従業員が一人のユーザに対応し、一人のユーザが一つの従業員に対応し、従業員がそれに対応するユーザーの関連付けるロールにより権限を決定（取得）する。
【実施例１１】
【０１６４】
システムにおいてインスタントメッセージ内容の操作時間帯を設定する方法は、以下のステップを含む。Ｓ１０１：一つのロール、ユーザー或は従業員を選択して一人の監督者とする。
【０１６５】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０１６６】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０１６７】
一つの従業員が一人のユーザに対応し、一人のユーザが一つの従業員に対応し、従業員がそれに対応するユーザーの関連付けるロールにより権限を決定（取得）する。
【０１６８】
Ｓ１０２：監督者ごとに一つ或は複数の被監督者を設定し、前記被監督者がロール、ユーザー或は従業員である。
【０１６９】
Ｓ１０３：監督者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、開始時点から終了時点までの時間帯という４種類のうちの一つ或は複数を含む。
【０１７０】
監督者ごとは、相応の被監督者の使用するインスタントメッセージアカウントのその監督者の権限時間帯において内容を操作する。ここに操作はデータ／内容を検分すること、データ／内容を削除すること等の一種或は複数種を具体的に含む。
【０１７１】
更に、監督者ごとは、相応の被監督者の使用するインスタントメッセージアカウントのその監督者の権限時間帯において内容のみを操作することができる。
【０１７２】
被監督者がロールである時に、被監督者の使用するインスタントメッセージアカウントはそのロールの関連付けたインスタントメッセージアカウントを含む。被監督者がユーザーである時に、被監督者の使用するインスタントメッセージアカウントはそのユーザーの関連付けたインスタントメッセージアカウント、そのユーザーに対応する従業員の関連付けたインスタントメッセージアカウント、そのユーザーの関連付けたロールの関連付けたインスタントメッセージアカウントを含む。被監督者が従業員である時に、被監督者の使用するインスタントメッセージアカウントはその従業員の関連付けたインスタントメッセージアカウント、その従業員に対応するユーザーの関連付けたインスタントメッセージアカウント、その従業員に対応するユーザーの関連付けたロールの関連付けたインスタントメッセージアカウントを含む。
【０１７３】
前記インスタントメッセージアカウントの出所は以下の二種のうちの一種或は二種を含む。第一、インスタントメッセージアカウントは、システムにおけるインスタントメッセージプログラム(ソフトウェア)のインスタントメッセージアカウントであり（即ち、システムにおけるインスタントメッセージアカウント）、この場合に、更にインスタントメッセージアカウントを作成するステップを含む。第二、インスタントメッセージアカウントは、第三者の提供するインスタントメッセージソフトウェアのインスタントメッセージアカウントである。ここにシステムは企業および事業団体等の使用する管理システムであり、システムにおけるインスタントメッセージプログラムは、システムの一部だけであり、システムの絶対的な全体ではない。
【実施例１２】
【０１７４】
システムにおいてインスタントメッセージ内容の操作時間帯を設定する方法は、以下のステップを含む。Ｓ１１１：一つのロール、ユーザー或は従業員を選択して一人の被監督者とする。
【０１７５】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０１７６】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０１７７】
一つの従業員が一人のユーザに対応し、一人のユーザが一つの従業員に対応し、従業員がそれに対応するユーザーの関連付けるロールにより権限を決定（取得）する。
【０１７８】
Ｓ１１２：被監督者ごとに権限時間帯を設定し、前記権限時間帯は、現在時点から固定時間を逆にして得られた時点から現在時点までの時間帯、開始時点から現在時点までの時間帯、終了時点からシステムの初期化時点までの時間帯、及び、開始時点から終了時点までの時間帯という４種類のうちの一つ或は複数を含む。
【０１７９】
被監督者ごとに対応する全ての監督者は、その被監督者の使用するインスタントメッセージアカウントのその被監督者の権限時間帯において内容を操作する。ここに操作はデータ／内容を検分すること、データ／内容を削除すること等の一種或は複数種を具体的に含む。
【０１８０】
更に、被監督者ごとに対応する全ての監督者は、その被監督者の使用するインスタントメッセージアカウントのその被監督者の権限時間帯において内容のみを操作することができる。
【０１８１】
被監督者がロールである時に、被監督者の使用するインスタントメッセージアカウントはそのロールの関連付けたインスタントメッセージアカウントを含む。被監督者がユーザーである時に、被監督者の使用するインスタントメッセージアカウントはそのユーザーの関連付けたインスタントメッセージアカウント、そのユーザーに対応する従業員の関連付けたインスタントメッセージアカウント、そのユーザーの関連付けたロールの関連付けたインスタントメッセージアカウントを含む。被監督者が従業員である時に、被監督者の使用するインスタントメッセージアカウントはその従業員の関連付けたインスタントメッセージアカウント、その従業員に対応するユーザーの関連付けたインスタントメッセージアカウント、その従業員に対応するユーザーの関連付けたロールの関連付けたインスタントメッセージアカウントを含む。
【０１８２】
前記インスタントメッセージアカウントの出所は以下の二種のうちの一種或は二種を含む。第一、インスタントメッセージアカウントは、システムにおけるインスタントメッセージプログラム(ソフトウェア)のインスタントメッセージアカウントであり（即ち、システムにおけるインスタントメッセージアカウント）、この場合に、更にインスタントメッセージアカウントを作成するステップを含む。第二、インスタントメッセージアカウントは、第三者の提供するインスタントメッセージソフトウェアのインスタントメッセージアカウントである。ここにシステムは企業および事業団体等の使用する管理システムであり、システムにおけるインスタントメッセージプログラムは、システムの一部だけであり、システムの絶対的な全体ではない。
【実施例１３】
【０１８３】
システムにおいてインスタントメッセージ内容の操作時間帯を設定する方法は、以下のステップを含む。Ｓ１２１：一つのロール、ユーザー或は従業員を選択して一つのインスタントメッセージ使用者とする。
【０１８４】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０１８５】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０１８６】
一つの従業員が一人のユーザに対応し、一人のユーザが一つの従業員に対応し、従業員がそれに対応するユーザーの関連付けるロールにより権限を決定（取得）する。
【０１８７】
Ｓ１２２：インスタントメッセージ使用者ごとに権限時間帯を設定し、前記権限時間帯は、そのインスタントメッセージ使用者及び現在関連付けるインスタントメッセージアカウントの関連時点から固定時間を順にして得られた時点から現在時点までの時間帯、そのインスタントメッセージ使用者及び現在関連付けるインスタントメッセージアカウントの関連時点から固定時間を逆にして得られた時点からシステムの初期化時点までの時間帯、そのインスタントメッセージ使用者及び現在関連付けるインスタントメッセージアカウントの関連時点からシステムの初期化時点までの時間帯、そのインスタントメッセージ使用者及び現在関連付けるインスタントメッセージアカウントの関連時点から現在時点までの時間帯という４種類のうちの一つ或は複数を含む。
【０１８８】
以下は、例を挙げて上記の４つの時間帯を説明する。そのインスタントメッセージ使用者及び現在関連付けるインスタントメッセージアカウントの関連時点から固定時間を順にして得られた時点から現在時点までの時間帯。例えば、従業員Ｂの現在関連付けるインスタントメッセージアカウントの関連時点が２０１６年５月１日であり、従業員Ｂの権限時間帯を、その従業員Ｂ及びその現在関連付けるインスタントメッセージアカウントの関連時点から二か月間を順にして得られた時点から現在時点までの時間帯と設定する。従って、従業員Ｂは、その関連付けたインスタントメッセージアカウントの２０１６年３月１日以降にわたる全ての内容を操作することができる。その権限時間帯を従業員Ｂに設定し、従業員Ｂが２０１６年１０月１日にインスタントメッセージアカウントを新たに関連付けたと、従業員Ｂは、その新たに関連付けたインスタントメッセージアカウントの２０１６年８月１日以降にわたる全ての内容を操作することができる。
【０１８９】
そのインスタントメッセージ使用者及び現在関連付けるインスタントメッセージアカウントの関連時点から固定時間を逆にして得られた時点からシステムの初期化時点までの時間帯。例えば、従業員Ｂの現在関連付けるインスタントメッセージアカウントの関連時点が２０１６年５月１日であり、従業員Ｂの権限時間帯を、その従業員Ｂ及びその現在関連付けるインスタントメッセージアカウントの関連時点から二か月間を逆にして得られた時点からシステムの初期化時点までの時間帯と設定する。従って、従業員Ｂは、その関連付けたインスタントメッセージアカウントの２０１６年７月１日以前にわたる全ての内容を操作することができる。
【０１９０】
そのインスタントメッセージ使用者及び現在関連付けるインスタントメッセージアカウントの関連時点からシステムの初期化時点までの時間帯。例えば、従業員Ｂの現在関連付けるインスタントメッセージアカウントの関連時点が２０１６年５月１日であり、従業員Ｂの権限時間帯を、その従業員Ｂ及びその現在関連付けるインスタントメッセージアカウントの関連時点からシステムの初期化時点までの時間帯と設定する。従って、従業員Ｂは、その関連付けたインスタントメッセージアカウントの２０１６年５月１日以前にわたる全ての内容を操作することができる。
【０１９１】
そのインスタントメッセージ使用者及び現在関連付けるインスタントメッセージアカウントの関連時点から現在時点までの時間帯。例えば、従業員Ｂの現在関連付けるインスタントメッセージアカウントの関連時点が２０１６年５月１日であり、従業員Ｂの権限時間帯を、その従業員Ｂ及びその現在関連付けるインスタントメッセージアカウントの関連時点から現在時点までの時間帯と設定する。従って、従業員Ｂは、その関連付けたインスタントメッセージアカウントの２０１６年５月１日以降にわたる全ての内容を操作することができる。
【０１９２】
前記インスタントメッセージ使用者は、そのインスタントメッセージ使用者の使用するインスタントメッセージアカウントのそのインスタントメッセージ使用者の権限時間帯において内容を操作する。ここに操作はデータ／内容を検分すること、データ／内容を削除すること等の一種或は複数種を具体的に含む。
【０１９３】
更に、前記インスタントメッセージ使用者は、そのインスタントメッセージ使用者の使用するインスタントメッセージアカウントの権限時間帯（又は、そのインスタントメッセージ使用者の権限時間帯）にある内容のみを操作することができる。
【０１９４】
インスタントメッセージ使用者がロールである場合に、インスタントメッセージ使用者の使用するインスタントメッセージアカウントは、そのロールの関連付けたインスタントメッセージアカウントを含む。インスタントメッセージ使用者がユーザーである場合に、インスタントメッセージ使用者の使用するインスタントメッセージアカウントは、そのユーザーの関連付けたインスタントメッセージアカウント、そのユーザーに対応する従業員の関連付けたインスタントメッセージアカウント、そのユーザーの関連付けたロールの関連付けたインスタントメッセージアカウントを含む。インスタントメッセージ使用者が従業員である場合に、インスタントメッセージ使用者の使用するインスタントメッセージアカウントは、その従業員の関連付けたインスタントメッセージアカウント、その従業員に対応するユーザーの関連付けたインスタントメッセージアカウント、その従業員に対応するユーザーの関連付けたロールの関連付けたインスタントメッセージアカウントを含む。
【０１９５】
前記インスタントメッセージアカウントの出所は以下の二種のうちの一種或は二種を含む。第一、インスタントメッセージアカウントは、システムにおけるインスタントメッセージプログラム(ソフトウェア)のインスタントメッセージアカウントであり（即ち、システムにおけるインスタントメッセージアカウント）、この場合に、更にインスタントメッセージアカウントを作成するステップを含む。第二、インスタントメッセージアカウントは、第三者の提供するインスタントメッセージソフトウェアのインスタントメッセージアカウントである。ここにシステムは企業および事業団体等の使用する管理システムであり、システムにおけるインスタントメッセージプログラムは、システムの一部だけであり、システムの絶対的な全体ではない。
【実施例１４】
【０１９６】
システムにおいてインスタントメッセージ内容の操作時間帯を設定する方法は、以下のステップを含む。Ｓ１３１：一つのインスタントメッセージアカウントのために一つの権限時間帯を設定し、前記権限時間帯は、そのインスタントメッセージアカウント及び現在関連付けるインスタントメッセージ使用者の関連時点から固定時間を順にして得られた時点から現在時点までの時間帯、そのインスタントメッセージアカウント及び現在関連付けるメールボックス使用者の関連時点から固定時間を逆にして得られた時点からシステムの初期化時点までの時間帯、そのインスタントメッセージアカウント及び現在関連付けるインスタントメッセージ使用者の関連時点からシステムの初期化時点までの時間帯、そのインスタントメッセージアカウント及び現在関連付けるインスタントメッセージ使用者の関連時点から現在時点までの時間帯という４種類のうちの一つ或は複数を含む。
【０１９７】
前記インスタントメッセージアカウントの出所は以下の二種のうちの一種或は二種を含む。第一、インスタントメッセージアカウントは、システムにおけるインスタントメッセージプログラム(ソフトウェア)のインスタントメッセージアカウントであり（即ち、システムにおけるインスタントメッセージアカウント）、この場合に、更にインスタントメッセージアカウントを作成するステップを含む。第二、インスタントメッセージアカウントは、第三者の提供するインスタントメッセージソフトウェアのインスタントメッセージアカウントである。ここにシステムは企業および事業団体等の使用する管理システムであり、システムにおけるインスタントメッセージプログラムは、システムの一部だけであり、システムの絶対的な全体ではない。
【０１９８】
Ｓ１３２：そのインスタントメッセージアカウントを使用する全てのロール、ユーザー及び従業員は、そのインスタントメッセージアカウントのそのインスタントメッセージアカウントの権限時間帯において内容を操作する。ここに操作はデータ／内容を検分すること、データ／内容を削除すること等の一種或は複数種を具体的に含む。
【０１９９】
更に、前記インスタントメッセージアカウントに対応するロール、ユーザー、従業員は、そのインスタントメッセージアカウントの権限時間帯（又は、そのインスタントメッセージアカウントの権限時間帯に）にある内容のみを操作することができる。
【０２００】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０２０１】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０２０２】
一つの従業員が一人のユーザに対応し、一人のユーザが一つの従業員に対応し、従業員がそれに対応するユーザーの関連付けるロールにより権限を決定（取得）する。
【実施例１５】
【０２０３】
システムにおいてインスタントメッセージ内容の操作時間帯を設定する方法は、以下のステップを含む。Ｓ１４１：一つのロール、ユーザー或は従業員を選択して一人の監督者とする。
【０２０４】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０２０５】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０２０６】
一つの従業員が一人のユーザに対応し、一人のユーザが一つの従業員に対応し、従業員がそれに対応するユーザーの関連付けるロールにより権限を決定（取得）する。
【０２０７】
Ｓ１４２：監督者ごとに一つ或は複数の被監督者を設定し、前記被監督者がロール、ユーザー或は従業員である。
【０２０８】
Ｓ１４３：監督者ごとに権限時間帯を設定し、前記権限時間帯は、そのインスタントメッセージ使用者及び現在関連付けるインスタントメッセージアカウントの関連時点から固定時間を順にして得られた時点から現在時点までの時間帯、そのインスタントメッセージ使用者及び現在関連付けるインスタントメッセージアカウントの関連時点から固定時間を逆にして得られた時点からシステムの初期化時点までの時間帯、そのインスタントメッセージ使用者及び現在関連付けるインスタントメッセージアカウントの関連時点からシステムの初期化時点までの時間帯、そのインスタントメッセージ使用者及び現在関連付けるインスタントメッセージアカウントの関連時点から現在時点までの時間帯という４種類のうちの一つ或は複数を含む。
【０２０９】
監督者ごとは、相応の被監督者の使用するインスタントメッセージアカウントのその監督者の権限時間帯において内容を操作する。ここに操作はデータ／内容を検分すること、データ／内容を削除すること等の一種或は複数種を具体的に含む。
【０２１０】
更に、監督者ごとは、相応の被監督者の使用するインスタントメッセージアカウントのその監督者の権限時間帯において内容のみを操作することができる。
【０２１１】
被監督者がロールである時に、被監督者の使用するインスタントメッセージアカウントはそのロールの関連付けたインスタントメッセージアカウントを含む。被監督者がユーザーである時に、被監督者の使用するインスタントメッセージアカウントはそのユーザーの関連付けたインスタントメッセージアカウント、そのユーザーに対応する従業員の関連付けたインスタントメッセージアカウント、そのユーザーの関連付けたロールの関連付けたインスタントメッセージアカウントを含む。被監督者が従業員である時に、被監督者の使用するインスタントメッセージアカウントはその従業員の関連付けたインスタントメッセージアカウント、その従業員に対応するユーザーの関連付けたインスタントメッセージアカウント、その従業員に対応するユーザーの関連付けたロールの関連付けたインスタントメッセージアカウントを含む。
【０２１２】
前記インスタントメッセージアカウントの出所は以下の二種のうちの一種或は二種を含む。第一、インスタントメッセージアカウントは、システムにおけるインスタントメッセージプログラム(ソフトウェア)のインスタントメッセージアカウントであり（即ち、システムにおけるインスタントメッセージアカウント）、この場合に、更にインスタントメッセージアカウントを作成するステップを含む。第二、インスタントメッセージアカウントは、第三者の提供するインスタントメッセージソフトウェアのインスタントメッセージアカウントである。ここにシステムは企業および事業団体等の使用する管理システムであり、システムにおけるインスタントメッセージプログラムは、システムの一部だけであり、システムの絶対的な全体ではない。
【実施例１６】
【０２１３】
システムにおいてインスタントメッセージ内容の操作時間帯を設定する方法は、以下のステップを含む。Ｓ１５１：一つのロール、ユーザー或は従業員を選択して一人の被監督者とする。
【０２１４】
前記ロールはグループ／クラスではなく、独立した個体であり、一つのロールは同時に唯一のユーザーを関連付けることができ、一人のユーザは一つ或は複数のロールを関連付ける。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【０２１５】
前記ユーザーが部門間を異動する時、ユーザーと元の部門のロールの関連を取り消し、ユーザーを新しい部門のロールに関連付ける。ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係をいつでも組み立てることができる。
【０２１６】
一つの従業員が一人のユーザに対応し、一人のユーザが一つの従業員に対応し、従業員がそれに対応するユーザーの関連付けるロールにより権限を決定（取得）する。
【０２１７】
Ｓ１５２：被監督者ごとに権限時間帯を設定し、前記権限時間帯は、そのインスタントメッセージ使用者及び現在関連付けるインスタントメッセージアカウントの関連時点から固定時間を順にして得られた時点から現在時点までの時間帯、そのインスタントメッセージ使用者及び現在関連付けるインスタントメッセージアカウントの関連時点から固定時間を逆にして得られた時点からシステムの初期化時点までの時間帯、そのインスタントメッセージ使用者及び現在関連付けるインスタントメッセージアカウントの関連時点からシステムの初期化時点までの時間帯、そのインスタントメッセージ使用者及び現在関連付けるインスタントメッセージアカウントの関連時点から現在時点までの時間帯という４種類のうちの一つ或は複数を含む。
【０２１８】
被監督者ごとに対応する全ての監督者は、その被監督者の使用するインスタントメッセージアカウントのその被監督者の権限時間帯において内容を操作する。ここに操作はデータ／内容を検分すること、データ／内容を削除すること等の一種或は複数種を具体的に含む。
【０２１９】
更に、被監督者ごとに対応する全ての監督者は、その被監督者の使用するインスタントメッセージアカウントのその被監督者の権限時間帯において内容のみを操作することができる。
【０２２０】
被監督者がロールである時に、被監督者の使用するインスタントメッセージアカウントはそのロールの関連付けたインスタントメッセージアカウントを含む。被監督者がユーザーである時に、被監督者の使用するインスタントメッセージアカウントはそのユーザーの関連付けたインスタントメッセージアカウント、そのユーザーに対応する従業員の関連付けたインスタントメッセージアカウント、そのユーザーの関連付けたロールの関連付けたインスタントメッセージアカウントを含む。被監督者が従業員である時に、被監督者の使用するインスタントメッセージアカウントはその従業員の関連付けたインスタントメッセージアカウント、その従業員に対応するユーザーの関連付けたインスタントメッセージアカウント、その従業員に対応するユーザーの関連付けたロールの関連付けたインスタントメッセージアカウントを含む。
【０２２１】
前記インスタントメッセージアカウントの出所は以下の二種のうちの一種或は二種を含む。第一、インスタントメッセージアカウントは、システムにおけるインスタントメッセージプログラム(ソフトウェア)のインスタントメッセージアカウントであり（即ち、システムにおけるインスタントメッセージアカウント）、この場合に、更にインスタントメッセージアカウントを作成するステップを含む。第二、インスタントメッセージアカウントは、第三者の提供するインスタントメッセージソフトウェアのインスタントメッセージアカウントである。ここにシステムは企業および事業団体等の使用する管理システムであり、システムにおけるインスタントメッセージプログラムは、システムの一部だけであり、システムの絶対的な全体ではない。
【０２２２】
上記は本発明の優先的な実施形態だけである。本発明は、本明細書に開示された形態に限定されないと理解され、他の実施形態を除くとみなされなく、却って様々な他の組み合わせや修正や環境に利用でき、本明細書のコンセプトの範囲内で、上記の教示または関連分野の技術または知識により修正を行うことができる。当業者に行われる修正及び変更は、本発明の趣旨及び範囲から逸脱するものではなく、全部と本発明に添付される特許請求の範囲内にあるべきである。
【図１】
2020530150.tif 000003
【図２】
2020530150.tif 000004
【図３】
2020530150.tif 000005
【国際調査報告】
2020530150.tif 000006
2020530150.tif 000007
2020530150.tif 000008
2020530150.tif 000009
2020530150.tif 000010